(57)【要約】【課題】リモート通信装置のメジャメントに関する消費電力を抑制する仕組みを提供する。【解決手段】移動可能に構成されたリレー通信装置による通信の中継を介して基地局と通信可能なリモート通信装置であって、第１のリレー通信装置と前記リモート通信装置とを対応付けるアソシエーション情報に基づいて、メジャメントするリンクを選択する制御部、を備えるリモート通信装置。【選択図】図１
2018160861.tif 000002
【特許請求の範囲】
【請求項１】
移動可能に構成されたリレー通信装置による通信の中継を介して基地局と通信可能なリモート通信装置であって、
第１のリレー通信装置と前記リモート通信装置とを対応付けるアソシエーション情報に基づいて、メジャメントするリンクを選択する制御部、
を備えるリモート通信装置。
【請求項２】
前記制御部は、前記第１のリレー通信装置とのリンクを、他のリンクよりも優先的に選択してメジャメントする、請求項１に記載のリモート通信装置。
【請求項３】
前記制御部は、前記第１のリレー通信装置に接続している場合、他のリンクのメジャメントをスキップする、請求項２に記載のリモート通信装置。
【請求項４】
前記制御部は、前記第１のリレー通信装置に接続している場合、前記第１のリレー通信装置とのリンクの品質又は他のリンクのメジャメントリクエストの有無に基づいて、前記他のリンクのメジャメントをスキップするか否かを選択する、請求項３に記載のリモート通信装置。
【請求項５】
前記第１のリレー通信装置と前記第１のリレー通信装置以外の第２のリレー通信装置とで、ディスカバリ又は通信のために異なるリソースが設定される、請求項１に記載のリモート通信装置。
【請求項６】
前記リソースは、リソースプール又はリソースブロックである、請求項５に記載のリモート通信装置。
【請求項７】
前記リソースは、基地局により動的に設定される、請求項５に記載のリモート通信装置。
【請求項８】
メジャメント結果、及び前記アソシエーション情報に基づいて、接続先のリンクが決定される、請求項１に記載のリモート通信装置。
【請求項９】
前記第１のリレー通信装置とのリンクが、前記接続先のリンクとして優先的に決定される、請求項８に記載のリモート通信装置。
【請求項１０】
前記基地局とのリンクが、前記第１のリレー通信装置とのリンクに次ぐ優先度で、前記接続先のリンクとして決定される、請求項９に記載のリモート通信装置。
【請求項１１】
前記第１のリレー通信装置以外の第２のリレー通信装置とのリンクが、前記基地局とのリンクに次ぐ優先度で、前記接続先のリンクとして決定される、請求項１０に記載のリモート通信装置。
【請求項１２】
基地局とリモート通信装置との通信を中継する移動可能に構成されたリレー通信装置であって、
前記リレー通信装置と対応付けられた前記リモート通信装置への信号と対応付けられていない前記リモート通信装置への信号とを、異なるリソースを用いて送信する制御部、
を備えるリレー通信装置。
【請求項１３】
移動可能に構成されたリレー通信装置による通信の中継を介してリモート通信装置と通信可能な基地局であって、
対応付けられた前記リレー通信装置及び前記リモート通信装置と対応付けられていない前記リレー通信装置及び前記リモート通信装置とで、異なるリソースを設定する制御部、
を備える基地局。
【請求項１４】
移動可能に構成されたリレー通信装置による通信の中継を介して基地局と通信可能なリモート通信装置であって、
メジャメント処理を制御する制御部を備え、
前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、リモート通信装置。
【請求項１５】
前記代表は、前記リモート通信装置及び前記他のリモート通信装置のケイパビリティに基づいて選択される、請求項１４に記載のリモート通信装置。
【請求項１６】
前記代表は、前記リモート通信装置及び前記他のリモート通信装置の地理位置情報に基づいて選択される、請求項１４に記載のリモート通信装置。
【請求項１７】
前記代表は、前記リモート通信装置及び前記他のリモート通信装置の相対的な位置情報に基づいて選択される、請求項１４に記載のリモート通信装置。
【請求項１８】
前記代表は、前記リモート通信装置及び前記他のリモート通信装置の、基地局又はリレー通信装置とのリンク品質に基づいて選択される、請求項１４に記載のリモート通信装置。
【請求項１９】
前記代表は、前記リモート通信装置及び前記他のリモート通信装置のセキュリティ要件に基づいて選択される、請求項１４に記載のリモート通信装置。
【請求項２０】
前記代表は、前記リモート通信装置及び前記他のリモート通信装置のアソシエーション情報に基づいて選択される、請求項１４に記載のリモート通信装置。
【請求項２１】
前記代表として選択されたリモート通信装置が所定の条件を満たした場合に、前記代表の選択が解除され、
前記所定の条件は、電池残量の低下、タイマー満了又はセルからの離脱の少なくともいずれかを含む、請求項１４に記載のリモート通信装置。
【請求項２２】
前記共有情報は、前記メジャメント結果、前記メジャメント結果に基づく接続先リンクの決定結果、又は前記代表として選択されたリモート通信装置の状態を示す情報の少なくともいずれかを含む、請求項１４に記載のリモート通信装置。
【請求項２３】
前記共有情報は、サイドリンクのみ、アップリンク及びダウンリンク、又はサイドリンク、アップリンク及びダウンリンクを用いて共有される、請求項１４に記載のリモート通信装置。
【請求項２４】
移動可能に構成されたリレー通信装置による通信の中継を介して基地局と通信可能なリモート通信装置により実行される方法であって、
第１のリレー通信装置と前記リモート通信装置とを対応付けるアソシエーション情報に基づいて、メジャメントするリンクを選択すること、
を含む方法。
【請求項２５】
移動可能に構成されたリレー通信装置による通信の中継を介して基地局と通信可能なリモート通信装置のコンピュータを、
第１のリレー通信装置と前記リモート通信装置とを対応付けるアソシエーション情報に基づいて、メジャメントするリンクを選択する制御部、
として機能させるためのプログラムを記録した記録媒体。
【請求項２６】
基地局とリモート通信装置との通信を中継する移動可能に構成されたリレー通信装置により実行される方法であって、
前記リレー通信装置と対応付けられた前記リモート通信装置への信号と対応付けられていない前記リモート通信装置への信号とを、異なるリソースを用いて送信すること、
を含む方法。
【請求項２７】
基地局とリモート通信装置との通信を中継する移動可能に構成されたリレー通信装置のコンピュータを、
前記リレー通信装置と対応付けられた前記リモート通信装置への信号と対応付けられていない前記リモート通信装置への信号とを、異なるリソースを用いて送信する制御部、
として機能させるためのプログラムを記録した記録媒体。
【請求項２８】
移動可能に構成されたリレー通信装置による通信の中継を介してリモート通信装置と通信可能な基地局により実行される方法であって、
対応付けられた前記リレー通信装置及び前記リモート通信装置と対応付けられていない前記リレー通信装置及び前記リモート通信装置とで、異なるリソースを設定すること、
を含む方法。
【請求項２９】
移動可能に構成されたリレー通信装置による通信の中継を介してリモート通信装置と通信可能な基地局のコンピュータを、
対応付けられた前記リレー通信装置及び前記リモート通信装置と対応付けられていない前記リレー通信装置及び前記リモート通信装置とで、異なるリソースを設定する制御部、
として機能させるためのプログラムを記録した記録媒体。
【請求項３０】
移動可能に構成されたリレー通信装置による通信の中継を介して基地局と通信可能なリモート通信装置により実行される方法であって、
メジャメント処理を制御することを含み、
前記メジャメント処理を制御することは、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受けることを含む、方法。
【請求項３１】
移動可能に構成されたリレー通信装置による通信の中継を介して基地局と通信可能なリモート通信装置のコンピュータを、
メジャメント処理を制御する制御部として機能させ、
前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、プログラムを記録した記録媒体。
【発明の詳細な説明】
【技術分野】
【０００１】
本開示は、リモート通信装置、リレー通信装置、基地局、方法及び記録媒体に関する。
【背景技術】
【０００２】
近年、ＩｏＴ（Internet  of  Things）関連の開発が盛んに行われている。ＩｏＴでは、様々な物がネットワークに接続されて情報交換を行うため、無線通信が重要な技術テーマになっている。そのため、３ＧＰＰ（Third  Generation  Partnership  Project）では、ＭＴＣ（Machine  Type  Communication）及びＮＢ−ＩｏＴ（Narrow  Band  IoT）といった、小パケット、低消費電力又は低コストを実現するＩｏＴ向け通信の規格化が行われている。
【０００３】
ＩｏＴ向け通信においては、なるべく低消費電力で広いカバレッジが確保されることが望ましい。ただし、典型的には、消費電力とカバレッジとの間にはトレードオフの関係があるため、カバレッジを広く確保しようとすると、どうしても消費電力が多くなってしまう。そこで、低消費電力と広いカバレッジとを両立させるための技術のひとつとして、リレー通信装置による通信のリレーが検討されている。リレー通信装置による通信のリレーを享受するリモート通信装置は、基地局と直接的に通信する場合と比較して通信距離を短くすることができるので、消費電力を抑制することが可能である。
【０００４】
リモート通信装置が行う処理のひとつに、メジャメント（即ち、品質測定）がある。メジャメントをいかに効率的に行うかも、無線通信システムにおける重要な検討項目のひとつである。例えば、下記特許文献１では、通信装置が、指示されたメジャメント対象をメジャメントする技術が開示されている。
【先行技術文献】
【特許文献】
【０００５】
【特許文献１】特表２０１６−５０８３４６号公報
【発明の概要】
【発明が解決しようとする課題】
【０００６】
ＩｏＴ向け通信においても、メジャメントをいかに効率的に行うかは重要であると考えられる。メジャメントを行うためには少なくとも電力が消費されるためである。
【０００７】
そこで、本開示では、リモート通信装置のメジャメントに関する消費電力を抑制する仕組みを提供する。
【課題を解決するための手段】
【０００８】
本開示によれば、移動可能に構成されたリレー通信装置による通信の中継を介して基地局と通信可能なリモート通信装置であって、第１のリレー通信装置と前記リモート通信装置とを対応付けるアソシエーション情報に基づいて、メジャメントするリンクを選択する制御部、を備えるリモート通信装置が提供される。
【０００９】
また、本開示によれば、基地局とリモート通信装置との通信を中継する移動可能に構成されたリレー通信装置であって、前記リレー通信装置と対応付けられた前記リモート通信装置への信号と対応付けられていない前記リモート通信装置への信号とを、異なるリソースを用いて送信する制御部、を備えるリレー通信装置が提供される。
【００１０】
また、本開示によれば、移動可能に構成されたリレー通信装置による通信の中継を介してリモート通信装置と通信可能な基地局であって、対応付けられた前記リレー通信装置及び前記リモート通信装置と対応付けられていない前記リレー通信装置及び前記リモート通信装置とで、異なるリソースを設定する制御部、を備える基地局が提供される。
【００１１】
また、本開示によれば、移動可能に構成されたリレー通信装置による通信の中継を介して基地局と通信可能なリモート通信装置であって、メジャメント処理を制御する制御部を備え、前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、リモート通信装置が提供される。
【００１２】
また、本開示によれば、移動可能に構成されたリレー通信装置による通信の中継を介して基地局と通信可能なリモート通信装置により実行される方法であって、第１のリレー通信装置と前記リモート通信装置とを対応付けるアソシエーション情報に基づいて、メジャメントするリンクを選択すること、を含む方法が提供される。
【００１３】
また、本開示によれば、移動可能に構成されたリレー通信装置による通信の中継を介して基地局と通信可能なリモート通信装置のコンピュータを、第１のリレー通信装置と前記リモート通信装置とを対応付けるアソシエーション情報に基づいて、メジャメントするリンクを選択する制御部、として機能させるためのプログラムを記録した記録媒体が提供される。
【００１４】
また、本開示によれば、基地局とリモート通信装置との通信を中継する移動可能に構成されたリレー通信装置により実行される方法であって、前記リレー通信装置と対応付けられた前記リモート通信装置への信号と対応付けられていない前記リモート通信装置への信号とを、異なるリソースを用いて送信すること、を含む方法が提供される。
【００１５】
また、本開示によれば、基地局とリモート通信装置との通信を中継する移動可能に構成されたリレー通信装置のコンピュータを、前記リレー通信装置と対応付けられた前記リモート通信装置への信号と対応付けられていない前記リモート通信装置への信号とを、異なるリソースを用いて送信する制御部、として機能させるためのプログラムを記録した記録媒体が提供される。
【００１６】
また、本開示によれば、移動可能に構成されたリレー通信装置による通信の中継を介してリモート通信装置と通信可能な基地局により実行される方法であって、対応付けられた前記リレー通信装置及び前記リモート通信装置と対応付けられていない前記リレー通信装置及び前記リモート通信装置とで、異なるリソースを設定すること、を含む方法が提供される。
【００１７】
また、本開示によれば、移動可能に構成されたリレー通信装置による通信の中継を介してリモート通信装置と通信可能な基地局のコンピュータを、対応付けられた前記リレー通信装置及び前記リモート通信装置と対応付けられていない前記リレー通信装置及び前記リモート通信装置とで、異なるリソースを設定する制御部、として機能させるためのプログラムを記録した記録媒体が提供される。
【００１８】
また、本開示によれば、移動可能に構成されたリレー通信装置による通信の中継を介して基地局と通信可能なリモート通信装置により実行される方法であって、メジャメント処理を制御することを含み、前記メジャメント処理を制御することは、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受けることを含む、方法が提供される。
【００１９】
また、本開示によれば、移動可能に構成されたリレー通信装置による通信の中継を介して基地局と通信可能なリモート通信装置のコンピュータを、メジャメント処理を制御する制御部として機能させ、前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、プログラムを記録した記録媒体が提供される。
【発明の効果】
【００２０】
以上説明したように本開示によれば、リモート通信装置のメジャメントに関する消費電力を抑制する仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２１】
【図１】本開示の一実施形態に係るシステムの構成の一例を説明するための図である。
【図２】同実施形態に係る基地局の構成の一例を示すブロック図である。
【図３】同実施形態に係るリレーＵＥの構成の一例を示すブロック図である。
【図４】同実施形態に係るリモートＵＥの構成の一例を示すブロック図である。
【図５】第１の実施形態に係るシステムにおいて実行されるメジャメント手続きの流れの一例を示すシーケンス図である。
【図６】同実施形態に係るシステムにおいて実行されるメジャメント手続きの流れの一例を示すシーケンス図である。
【図７】同実施形態に係るリモートＵＥにおいて実行されるメジャメント実施判定処理の流れの一例を示すフローチャートである。
【図８】第２の実施形態に係るリモートＵＥ群において実行されるメジャメント処理の流れの一例を示すフローチャートである。
【図９】第１の実施例を説明するための図である。
【図１０】同実施例におけるリソース設定及びメジャメントの一例を説明するための図である。
【図１１】同実施例におけるリソース設定及びメジャメントの一例を説明するための図である。
【図１２】第２の実施例を説明するための図である。
【図１３】同実施例におけるリソース設定及びメジャメントの一例を説明するための図である。
【図１４】第４の実施例の第１のシナリオを説明するためのシーケンス図である。
【図１５】同実施例の第２のシナリオを説明するためのシーケンス図である。
【図１６】同実施例の第３のシナリオを説明するためのシーケンス図である。
【図１７】同実施例の第４のシナリオを説明するためのシーケンス図である。
【図１８】同実施例の第５のシナリオを説明するためのシーケンス図である。
【図１９】第６の実施例を説明するための図である。
【図２０】第７の実施例を説明するための図である。
【図２１】第８の実施例の第１のシナリオを説明するためのシーケンス図である。
【図２２】同実施例の第２のシナリオを説明するためのシーケンス図である。
【図２３】同実施例の第３のシナリオを説明するためのシーケンス図である。
【図２４】同実施例の第４のシナリオを説明するためのシーケンス図である。
【図２５】同実施例の第５のシナリオを説明するためのシーケンス図である。
【図２６】同実施例の第６のシナリオを説明するためのシーケンス図である。
【図２７】同実施例の第７のシナリオを説明するためのシーケンス図である。
【図２８】同実施例の第８のシナリオを説明するためのシーケンス図である。
【図２９】同実施例の第９のシナリオを説明するためのシーケンス図である。
【図３０】同実施例の第１０のシナリオを説明するためのシーケンス図である。
【図３１】同実施例の第１１のシナリオを説明するためのシーケンス図である。
【図３２】同実施例の第１２のシナリオを説明するためのシーケンス図である。
【図３３】同実施例の第１３のシナリオを説明するためのシーケンス図である。
【図３４】同実施例の第１４のシナリオを説明するためのシーケンス図である。
【図３５】同実施例の第１５のシナリオを説明するためのシーケンス図である。
【図３６】同実施例の第１６のシナリオを説明するためのシーケンス図である。
【図３７】同実施例の第１７のシナリオを説明するためのシーケンス図である。
【図３８】同実施例の第１８のシナリオを説明するためのシーケンス図である。
【図３９】同実施例の第１９のシナリオを説明するためのシーケンス図である。
【図４０】同実施例の第２０のシナリオを説明するためのシーケンス図である。
【図４１】ｅＮＢの概略的な構成の第１の例を示すブロック図である。
【図４２】ｅＮＢの概略的な構成の第２の例を示すブロック図である。
【図４３】スマートフォンの概略的な構成の一例を示すブロック図である。
【図４４】カーナビゲーション装置の概略的な構成の一例を示すブロック図である。
【発明を実施するための形態】
【００２２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２３】
また、本明細書及び図面において、実質的に同一の機能構成を有する要素を、同一の符号の後に異なるアルファベットを付して区別する場合もある。例えば、実質的に同一の機能構成を有する複数の要素を、必要に応じてリモートＵＥ３００Ａ、３００Ｂ及び３００Ｃのように区別する。ただし、実質的に同一の機能構成を有する複数の要素の各々を特に区別する必要がない場合、同一符号のみを付する。例えば、リモートＵＥ３００Ａ、３００Ｂ及び３００Ｃを特に区別する必要が無い場合には、単にリモートＵＥ３００と称する。
【００２４】
なお、説明は以下の順序で行うものとする。
１．はじめに
１．１．全体構成
１．２．リレー通信に関する要求
１．３．定義
１．４．各装置の構成例
２．第１の実施形態
２．１．技術的課題
２．２．技術的特徴
３．第２の実施形態
３．１．技術的課題
３．２．技術的特徴
４．実施例
４．１．第１の実施例
４．２．第２の実施例
４．３．第３の実施例
４．４．第４の実施例
４．５．第５の実施例
４．６．第６の実施例
４．７．第７の実施例
４．８．第８の実施例
５．応用例
６．まとめ
【００２５】
＜＜１．はじめに＞＞
＜１．１．全体構成＞
図１は、本開示の一実施形態に係るシステム１の構成の一例を説明するための図である。図１に示すように、本実施形態に係るシステム１は、基地局１００、端末装置２００、及び端末装置３００（３００Ａ及び３００Ｂ）を含む。
【００２６】
基地局１００は、セルを運用し、セルの内部に位置する１つ以上の端末装置へ無線サービスを提供する。例えば、基地局１００は、端末装置２００及び３００の各々に無線サービスを提供する。セルは、例えば４Ｇ、５Ｇ、ＬＴＥ又はＮＲ（New  Radio）等の任意の無線通信方式に従って運用され得る。
【００２７】
端末装置２００及び端末装置３００は、基地局１００による制御に基づいて基地局１００と無線通信する。端末装置２００及び端末装置３００は、いわゆるユーザ端末（ＵＥ：User  Equipment）であってもよい。端末装置２００及び端末装置３００は、基地局１００との間でリンク（例えば、ダウンリンク又はアップリンク）を形成する。そして、端末装置２００及び端末装置３００は、基地局１００にアップリンク信号を送信して、基地局１００からダウンリンク信号を受信する。このように、基地局１００との間で他の装置を介さずに通信することを、直接通信とも称する。
【００２８】
ここで、端末装置２００は、他の装置からの又は他の装置への通信を中継（即ち、リレー）する機能を有する、移動可能に構成されたリレー通信装置である。例えば、端末装置２００は、基地局１００と端末装置３００との通信をリレー可能である。換言すると、基地局１００は、端末装置２００による通信の中継を介して端末装置３００と通信可能である。具体的には、端末装置２００は、基地局１００へのアップリンク信号を端末装置３００から受信して基地局１００に転送し、端末装置３００へのダウンリンク信号を基地局１００から受信して端末装置３００に転送する。このように、基地局１００との間で他の装置を介して通信することを、リレー通信とも称する。端末装置３００は、リレー通信を用いることで、典型的には直接通信と比較して低消費電力で通信することが可能である。端末装置２００と端末装置３００との間で形成されるリンクは、サイドリンクとも称される。また、基地局１００と端末装置２００との間で形成されるリンクは、バックホールリンクとも称される。なお、図１では、１台の端末装置２００がリレー通信を中継する例を示したが、２台以上の端末装置２００がリレー通信を中継してもよい。
【００２９】
以下では、リレー機能を有する移動可能に構成された端末装置２００をリレー端末又はリレーＵＥ（Relay  UE）とも称し、リレーＵＥ２００を介して通信する端末装置３００をリモート端末又はリモートＵＥとも称する。リモートＵＥ３００は、例えば低頻度な通信を行うＩｏＴデバイスである。他にも、リモートＵＥ３００は、スマートフォン、車載端末又はドローン等であってもよい。リレーＵＥ２００も同様に、例えばリレー専用の装置、ＩｏＴデバイス、スマートフォン、車載端末又はドローン等として実現され得る。
【００３０】
リレーＵＥに類似する装置として、リレー基地局がある。リレー基地局に関しては、これまで３ＧＰＰで規格化されている。以下、リレー基地局とリレーＵＥとの相違について説明する。
【００３１】
第１に、モビリティに関する相違がある。リレー基地局は位置が固定される。これに対し、リレーＵＥはモビリティを有する。
【００３２】
第２に、所有者に関する相違がある。リレー基地局は、典型的にはオペレータの所有物であり、基地局と同等の権限で動作する。これに対し、リレーＵＥは、典型的にはユーザの所有物であり、リレー基地局と比較して制限された権限で動作する可能性がある。例えば、リレーＵＥは、基地局による管理下で動作する場合がある。
【００３３】
第３に、想定されるユースケースに関する相違がある。リレー基地局は、スマートフォンへのリレー通信の提供が想定されている。これに対し、リレーＵＥは、スマートフォン以外にも、ＭＴＣ端末及びＮＢ−ＩｏＴ端末等へのリレー通信の提供が想定されており、小パケットデータを含む様々な通信トラフィックをサポートすることが求められる。
【００３４】
第４に、リモートＵＥの配置（Deployment）に関する相違がある。リレー基地局では、カバレッジ内にリモートＵＥが一様に分布することが想定されている。これに対し、リレーＵＥでは、リモートＵＥが一様に分布するとは限らない。
【００３５】
第５に、リレー基地局、リレーＵＥ間の物理的制約に相違がある。リレーＵＥでは、実装スペースが限られるため、リレー基地局と同等の機能を実装することは難しい。そのため、リレーＵＥは基地局のサポート下で動作することが望ましい。
【００３６】
＜１．２．リレー通信に関する要求＞
リレー通信を利用するＩｏＴ端末の代表的な例として、ウェアラブル端末が挙げられる。ウェアラブル端末には、低消費電力及び高信頼通信が求められ、時には大容量通信が求められる。このようなユースケースをカバーするために、３ＧＰＰではＦｅＤ２Ｄ（Further  enhancement  D2D）の規格化が２０１６年にスタートした。ウェアラブル端末は、典型的にはユーザの周辺に存在する。そのため、ウェアラブル端末は、スマートフォンのようなユーザ端末からリレー通信の提供を受けることで、通信距離を短くし低消費電力で高信頼な通信を実現することが可能になる。
【００３７】
このようなウェアラブル端末向けのリレー通信においては、基地局とリモートＵＥとの間のエンドツーエンド（End  to  end）の通信品質（QoS：Quality  of  Service）の保証が重要になるので、高信頼な通信経路が確立されることが望ましい。さらには、ウェアラブル端末がリモートＵＥとなる場合、リレー通信は、低複雑性（Low  complexity）、低コスト（Low  cost）、且つ低消費電力（Low  power  consumption）であることが望ましい。これらを実現するためには、以下の要求項目の実現が求められる。
【００３８】
第１の要求項目は、サイドリンク通信の改善である。サイドリンクでは、再送などを行うための閉ループフィードバック（Closed  loop  feedback）通信は行われていない。しかしながら、第１の要求項目を満たすためには、例えばＱｏＳ及び高信頼通信の実現のために、フィードバックを用いたリンクアダプテーション及びＨＡＲＱ（Hybrid  automatic  repeat  request）等の機能がサポートされることが望ましい。
【００３９】
第２の要求項目は、低消費電力化である。第２の要求項目を満たすためには、例えば送信電力制御及びＤＲＸ（Discontinuous  Reception）等の機能がサポートされることが望ましい。
【００４０】
第３の要求項目は、サービス継続性（Service  continuity）である。ウェアラブル端末に関しては、リンク品質が動的に変化する。そのため、第３の要求項目を満たすためには、ハンドオーバ及びパススイッチングの最適化等の機能がサポートされることが望ましい。
【００４１】
＜１．３．定義＞
Ｄ２Ｄ通信において、通信している２つのデバイスは、アソシエーション（association）の状態にある、又はアソシエーション関係がある、とも称される。
【００４２】
これに対し、本明細書では、信頼関係があるリレーＵＥ２００とリモートＵＥ３００とを、アソシエーションの状態にある、又はアソシエーション関係がある、と称する。また、アソシエーション関係があるリレーＵＥ２００とリモートＵＥ３００とを対応付ける情報を、アソシエーション情報とも称する。アソシエーション情報は、例えばアソシエーション関係があるリレーＵＥ２００及びリモートＵＥ３００の識別情報の組み合わせを含む。
【００４３】
ここで、アソシエーション関係がある（即ち、信頼関係がある）リレーＵＥ２００及びリモートＵＥ３００には、多様な形態が考えられる。以下、その一例を説明する。
【００４４】
例えば、同じオーナーに所有されるリレーＵＥ２００及びリモートＵＥ３００は、アソシエーション関係があると言える。
【００４５】
例えば、互いの情報を共有しているリレーＵＥ２００及びリモートＵＥ３００は、アソシエーション関係があると言える。この場合、共有される情報としては、例えば互いの識別情報（例えば、ＩＭＳＩ（International  Mobile  Subscriber  Identity））、互いのアソシエーション関係があるエンティティのリスト、その他リレーＵＥ２００又はリモートＵＥ３００を特定可能なパラメータが考えられる。
【００４６】
例えば、エンコードせずに、サイドリンク通信を行うことが可能なリレーＵＥ２００及びリモートＵＥ３００は、アソシエーション関係があると言える。
【００４７】
例えば、距離が近く、相対位置が変化せず、且つ同一のモビリティを有するリレーＵＥ２００及びリモートＵＥ３００は、アソシエーション関係があると言える。なぜならば、同じユーザがリレーＵＥ２００及びリモートＵＥ３００を携行する場合があると考えられるためである。
【００４８】
例えば、セキュアな通信が可能なリレーＵＥ２００及びリモートＵＥ３００は、アソシエーション関係があると言える。
【００４９】
以上、アソシエーション関係の一例を説明した。
【００５０】
リモートＵＥとアソシエーション関係があるリレーＵＥを、アソシエイテッドな（associated）リレーＵＥ又はアソシエイテッドリレーとも称する。リモートＵＥとアソシエーション関係があるリレーＵＥ以外のリレーＵＥを、アソシエーション関係がないリレーＵＥとも称する。また、リモートＵＥとアソシエーション関係がないリレーＵＥを、ノンアソシエイテッドな（non-associated）リレーＵＥ又はノンアソシエイテッドリレーとも称する。
【００５１】
また、基地局１００とリレーＵＥ２００又はリモートＵＥ３００との間のＵｕインタフェースにおいては、ダウンリンク及びアップリンクといったリンクが形成され得る。このＵｕインタフェースにおけるリンクをＵｕリンクとも総称する。他方、リレーＵＥ２００とリモートＵＥ３００との間のＰＣ５インタフェースにおいては、サイドリンクが形成され得る。
【００５２】
リモートＵＥ３００は、基地局１００へのメッセージを、基地局１００とのアップリンクを介して直接的に、又はリレーＵＥ２００とのサイドリンクを介して間接的に送信可能である。ただし、リモートＵＥ３００は、基地局１００とのアップリンクを介して送信するよりも、アソシエーション関係があるリレーＵＥ２００とのサイドリンクを介して送信することが望ましい。これにより、安全に消費電力を抑制することが可能になる。
【００５３】
アップリンク又はサイドリンクのいずれを用いるべきか、及びどのサイドリンクを用いるべきかは、いずれもリンク品質に依存する。そのため、典型的には、リモートＵＥ３００は、接続候補のリンクの各々を監視及びメジャメントして、メッセージの送信のために相対的に良いリンクに接続する。
【００５４】
なお、本明細書においては、「接続」とは、キャンプオンした状態になること、ＲＲＣ接続を確立すること、及びアタッチ手続きを完了したことを含む概念であるものとする。また、以下の説明における「接続」は、「キャンプオン」「ＲＲＣ接続」又は「アタッチ」の少なくともいずれかに読み替えられてもよい。なお、キャンプオンとは、ＵＥがセル選択／セル再選択処理を行い、システム情報及びページング情報をモニタリングするセルを選択した状態、あるいはリモートＵＥがリレー選択／リレー再選択処理を行い、サイドリンクをモニタリングするリレーを選択した状態になることを指す。
【００５５】
＜１．４．各装置の構成例＞
＜１．４．１．基地局の構成例＞
図２は、本実施形態に係る基地局１００の構成の一例を示すブロック図である。図２を参照すると、基地局１００は、アンテナ部１１０、無線通信部１２０、ネットワーク通信部１３０、記憶部１４０及び制御部１５０を備える。
【００５６】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００５７】
（２）無線通信部１２０
無線通信部１２０は、信号を送受信する。例えば、無線通信部１２０は、端末装置へのダウンリンク信号を送信し、端末装置からのアップリンク信号を受信する。
【００５８】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００５９】
（４）記憶部１４０
記憶部１４０は、基地局１００の動作のためのプログラム及び様々なデータを一時的に又は恒久的に記憶する。
【００６０】
（５）制御部１５０
制御部１５０は、基地局１００の様々な機能を提供する。制御部１５０は、設定部１５１及び通信制御部１５３を含む。設定部１５１は、リレーＵＥ２００及びリモートＵＥ３００にリソースを設定する。ここでのリソースとは、サイドリンク又はＵｕリンクにおけるディスカバリ又は通信のためのリソースである。通信制御部１５３は、設定したリソースにおけるリレーＵＥ２００又はリモートＵＥ３００との通信処理を行う。例えば、通信制御部１５３は、リレーＵＥ２００又はリモートＵＥ３００との間で、データ信号、制御信号、参照信号及び発見信号を送受信する。設定部１５１及び通信制御部１５３による処理に基づく基地局１００の動作は、後に詳しく説明する。なお、制御部１５０は、これらの構成要素以外の他の構成要素をさらに含み得る。即ち、制御部１５０は、これらの構成要素の動作以外の動作も行い得る。
【００６１】
＜１．４．２．リレーＵＥの構成例＞
図３は、本実施形態に係るリレーＵＥ２００の構成の一例を示すブロック図である。図３を参照すると、リレーＵＥ２００は、アンテナ部２１０、無線通信部２２０、記憶部２３０及び制御部２４０を備える。
【００６２】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００６３】
（２）無線通信部２２０
無線通信部２２０は、信号を送受信する。例えば、無線通信部２２０は、基地局からのダウンリンク信号を受信し、基地局へのアップリンク信号を送信する。
【００６４】
本実施形態では、無線通信部２２０は、基地局１００へのアップリンク信号を基地局１００又はリレーＵＥ２００へ送信し、基地局１００からのダウンリンク信号を基地局１００又はリレーＵＥ２００から受信する。
【００６５】
本実施形態では、無線通信部２２０は、リモートＵＥ３００から基地局１００へのアップリンク信号を受信して基地局１００に転送し、基地局１００からリモートＵＥ３００へのダウンリンク信号を受信してリモートＵＥ３００に転送し得る。
【００６６】
（３）記憶部２３０
記憶部２３０は、リレーＵＥ２００の動作のためのプログラム及び様々なデータを一時的に又は恒久的に記憶する。
【００６７】
（４）制御部２４０
制御部２４０は、リレーＵＥ２００の様々な機能を提供する。制御部２４０は、通信制御部２４１を含む。例えば、通信制御部２４１は、基地局１００による制御に基づいて、基地局１００と通信したり、基地局１００とリモートＵＥ３００との通信を中継したりする。また、例えば、通信制御部２４１は、基地局１００又はリモートＵＥ３００との間で、データ信号、制御信号、参照信号及び発見信号を送受信する。通信制御部２４１による処理に基づくリレーＵＥ２００の動作は、後に詳しく説明する。なお、制御部２４０は、これらの構成要素以外の他の構成要素をさらに含み得る。即ち、制御部２４０は、これらの構成要素の動作以外の動作も行い得る。
【００６８】
＜１．４．３．リモートＵＥの構成例＞
図４は、本実施形態に係るリモートＵＥ３００の構成の一例を示すブロック図である。図４を参照すると、リモートＵＥ３００は、アンテナ部３１０、無線通信部３２０、記憶部３３０及び制御部３４０を備える。
【００６９】
（１）アンテナ部３１０
アンテナ部３１０は、無線通信部３２０により出力される信号を電波として空間に放射する。また、アンテナ部３１０は、空間の電波を信号に変換し、当該信号を無線通信部３２０へ出力する。
【００７０】
（２）無線通信部３２０
無線通信部３２０は、信号を送受信する。例えば、無線通信部３２０は、基地局からのダウンリンク信号を受信し、基地局へのアップリンク信号を送信する。
【００７１】
本実施形態では、無線通信部３２０は、基地局１００へのアップリンク信号を基地局１００又はリレーＵＥ２００へ送信し、基地局１００からのダウンリンク信号を基地局１００又はリレーＵＥ２００から受信する。
【００７２】
（３）記憶部３３０
記憶部３３０は、リモートＵＥ３００の動作のためのプログラム及び様々なデータを一時的に又は恒久的に記憶する。
【００７３】
（４）制御部３４０
制御部３４０は、リモートＵＥ３００の様々な機能を提供する。制御部３４０は、測定処理部３４１及び通信制御部３４３を含む。測定処理部３４１は、基地局１００とのリンク又はリレーＵＥ２００とのリンクのメジャメント処理を制御する。通信制御部３４３は、メジャメント結果に基づいて基地局１００又はリレーＵＥ２００との通信処理を行う。また、例えば、通信制御部３４３は、基地局１００又はリレーＵＥ２００との間で、データ信号、制御信号、参照信号及び発見信号を送受信する。測定処理部３４１及び通信制御部３４３による処理に基づくリモートＵＥ３００の動作は、後に詳しく説明する。なお、制御部３４０は、これらの構成要素以外の他の構成要素をさらに含み得る。即ち、制御部３４０は、これらの構成要素の動作以外の動作も行い得る。
【００７４】
＜＜２．第１の実施形態＞＞
＜２．１．技術的課題＞
リモートＵＥは、ＦｅＤ２Ｄにより、リレーＵＥを介して基地局にパケットを送信可能である。しかしながら、リモートＵＥの電力消費を多大にする２つの要因があった。
【００７５】
第１の要因は、ＯＯＣ（Out  of  coverage）のリモートＵＥに関する。Ｄ２Ｄに関する標準規格によれば、ＯＯＣのリモートＵＥのみが、基地局と通信するリレーＵＥに接続可能である。ただし、ＯＯＣであるリモートＵＥは、どのサイドリンクに接続するかを選択するために、全ての候補のサイドリンクをモニタして、リンク品質をメジャメントすべきとされていた。従って、全ての候補のサイドリンクをモニタしてリンク品質をメジャメントするための多大な電力消費が要されていた。
【００７６】
第２の要因は、ＩＣ（In  coverage）のリモートＵＥに関する。Ｄ２Ｄに関する標準規格によれば、ＩＣのリモートＵＥは、アップリンクを常に使用すべきとされていた。そのため、ＩＣのリモートＵＥは、アップリンク送信による多大な電力消費が要されていた。
【００７７】
これらの２つの要因を考慮すると、ＩＣのリモートＵＥ及びＯＯＣのリモートＵＥの両方が、リレーＵＥを介した通信が可能であり、且つ、メジャメントに関する消費電力が抑制可能な仕組みが提供されることが望ましい。
【００７８】
＜２．２．技術的特徴＞
リモートＵＥ３００は、アソシエーション情報に基づいてメジャメントを行う。メジャメントにアソシエーション情報が用いられることで、メジャメントするリンクが限定されることに伴いメジャメント回数が削減されて、消費電力が削減される。さらに、メジャメントにアソシエーション情報が用いられることで、メジャメントするリソースが限定されて、消費電力が削減される。
【００７９】
そして、リモートＵＥ３００は、アソシエーション情報及びメジャメント結果に基づいて、接続先（例えば、キャンプオン先の）リンクを選択する。これにより、リモートＵＥ３００は、適切な接続先リンクを選択することが可能となる。以下、本実施形態の技術的特徴を詳細に説明する。
【００８０】
（１）メジャメント
まず、図５及び図６を参照して、メジャメント手続きの流れの一例を説明する。
【００８１】
図５は、本実施形態に係るシステム１において実行されるメジャメント手続きの流れの一例を示すシーケンス図である。図５に示すように、本シーケンスには、基地局１００、リレーＵＥ２００及びリモートＵＥ３００が関与する。ここで、リレーＵＥ２００及びリモートＵＥ３００は、基地局１００のカバレッジ内に位置する、即ちインカバレッジであるものとする。
【００８２】
まず、リレーＵＥ２００及びリモートＵＥ３００は、アソシエーション関係を確立する（ステップＳ１２）。
【００８３】
次いで、リレーＵＥ２００は、セルサーチを行い基地局１００に接続して、アソシエーション情報を基地局１００に通知する（ステップＳ１４）。例えば、リレーＵＥ２００は、自身の識別情報と、アソシエーション関係があるリモートＵＥ３００の識別情報とを対応付けた情報を、アソシエーション情報として基地局１００に通知する。アソシエーション情報の通知には、例えばＰＵＣＣＨ又はＰＵＳＣＨが用いられ得る。
【００８４】
次に、基地局１００は、リレーＵＥ２００とリモートＵＥ３００との間のサイドリンクリソースを割り当てて、割り当て結果をリレーＵＥ２００に通知する（ステップＳ１６）。ここで、サイドリンクリソースとは、サイドリンクディスカバリ又はサイドリンク通信のためのリソースである。
【００８５】
次いで、リモートＵＥ３００は、セルサーチを行い基地局１００に接続して、アソシエーション情報を基地局１００に通知する（ステップＳ１８）。例えば、リモートＵＥ３００は、自身の識別情報と、アソシエーション関係があるリレーＵＥ２００の識別情報とを対応付けた情報を、アソシエーション情報として基地局１００に通知する。アソシエーション情報の通知には、例えばＰＵＣＣＨ又はＰＵＳＣＨが用いられ得る。ここで、リモートＵＥ３００は、セルサーチを行う際に、Ｕｕリンクをメジャメントする。
【００８６】
次に、基地局１００は、リモートＵＥ３００とアソシエーション関係があるリレーＵＥ２００に割り当てたサイドリンクリソースを、リモートＵＥ３００に通知する（ステップＳ２０）。
【００８７】
そして、リレーＵＥ２００及びリモートＵＥ３００は、割り当てられたリソースを用いてサイドリンクディスカバリ及びサイドリンク通信を行う（ステップＳ２２）。その際、サイドリンクディスカバリは、リレーＵＥ２００側から行われてもよいし（例えばディスカバリ信号（discovery  signal）を送信）、リモートＵＥ３００側から行われてもよい（例えば、ディスカバリ要請（discovery  solicitation）を送信）。
【００８８】
次いで、リモートＵＥ３００は、メジャメントを行う（ステップＳ２４）。
【００８９】
図６は、本実施形態に係るシステム１において実行されるメジャメント手続きの流れの一例を示すシーケンス図である。図６に示すように、本シーケンスには、基地局１００、リレーＵＥ２００及びリモートＵＥ３００が関与する。ここで、リレーＵＥ２００は、基地局１００のカバレッジ内に位置する、即ちインカバレッジであるものとする。また、リモートＵＥ３００は、基地局１００のカバレッジ外に位置する、即ちアウトオブカバレッジであるものとする。
【００９０】
まず、基地局１００は、リレーＵＥ２００とリモートＵＥ３００との間のサイドリンク通信用又はディスカバリ用のリソースを事前に設定する（ステップＳ３２）。この事前の設定は、少なくともリモートＵＥ３００に対して行われることが望ましい。他方、この事前の設定は、リレーＵＥ２００に対して行われてもよいし、行われなくてもよい。
【００９１】
次いで、リレーＵＥ２００及びリモートＵＥ３００は、アソシエーション関係を確立する（ステップＳ３４）。
【００９２】
次に、リレーＵＥ２００は、セルサーチを行い基地局１００に接続して、アソシエーション情報を基地局１００に通知する（ステップＳ３６）。例えば、リレーＵＥ２００は、自身の識別情報と、アソシエーション関係があるリモートＵＥ３００の識別情報とを対応付けた情報を、アソシエーション情報として基地局１００に通知する。アソシエーション情報の通知には、例えばＰＵＣＣＨ又はＰＵＳＣＨが用いられ得る。
【００９３】
次に、基地局１００は、サイドリンクリソースをリレーＵＥ２００に割り当てる（ステップＳ３８）。ただし、リレーＵＥ２００のサイドリンクリソースを事前に設定した場合、本ステップは省略されてもよい。
【００９４】
そして、リレーＵＥ２００及びリモートＵＥ３００は、割り当てられたリソースを用いてサイドリンクディスカバリ及びサイドリンク通信を行う（ステップＳ４０）。その際、サイドリンクディスカバリは、リレーＵＥ２００側から行われてもよいし（例えばディスカバリ信号を送信）、リモートＵＥ３００側から行われてもよい（例えば、ディスカバリ要請を送信）。
【００９５】
次いで、リモートＵＥ３００は、メジャメントを行う（ステップＳ４２）。
【００９６】
以上、メジャメント手続きの流れの一例を説明した。以下では、リモートＵＥ３００により行われるメジャメントについて詳しく説明する。
【００９７】
・Ｕｕリンクのメジャメント
以下、Ｕｕリンクのメジャメントについて説明する。とりわけ、リモートＵＥ３００は、ダウンリンクのメジャメントを行う。
【００９８】
メジャメントされる項目（又は内容）、即ち品質測定の項目（Measurement  object）については、多様に考えられる。例えば、品質測定の項目として、ダウンリンクのＲＳＲＰ（Reference  Signal  Received  Power）、ダウンリンクのＢＬＥＲ（Block  Error  Rate）、リモートＵＥ３００と基地局１００との間のＴＡ（Timing  Advance）又はパスロスの少なくともいずれかであってもよい。
【００９９】
また、メジャメントの対象となるリンク、即ち品質の測定対象のリンクは、多様に考えられる。例えば、測定対象のリンクは、ＰＤＣＣＨ（Physical  Downlink  Control  Channel）又はＰＤＳＣＨ（Physical  Downlink  Shared  Channel）の少なくともいずれかであってもよい。
【０１００】
メジャメントタイミング（Measurement  Timing）は、多様に考えられる。
【０１０１】
リモートＵＥ３００は、周期的に（Periodically）ダウンリンクをメジャメントしてもよい。その場合、例えば、メジャメント開始時間及び測定期間（duration）は、リレーＵＥ２００若しくは基地局１００から通知され得、又は基地局１００により事前に設定され得る。また、測定周期（period）は、リレーＵＥ２００若しくは基地局１００から通知され得、又は基地局１００により事前に設定され得る。
【０１０２】
他方、リモートＵＥ３００は、イベントトリガに基づいてダウンリンクをメジャメントしてもよい。例えば、リモートＵＥ３００は、リレーＵＥ２００又は基地局１００からのメジャメントリクエストを受信してからＸサブフレーム後に、メジャメントし得る。また、リモートＵＥ３００は、リンク品質が閾値αを下回った場合にメジャメントし得る。閾値αは、リレーケイパビリティ（例えば、リレーＵＥ２００に接続可能なリモートＵＥ３００の最大数）又はネットワークの密度等に応じて、基地局１００又はリレーＵＥ２００により適宜通知されてもよいし、事前に設定されてもよい。また、閾値αは、リモートＵＥ３００の電池情報（例えば、電池残量及び電池容量（即ち、最大値））に応じて、動的に又は静的に決定されてもよい。
【０１０３】
なお、本明細書において、Ｘは、所定値であってもよいし、任意の手段で動的に設定されてもよい。また、本明細書において記載される複数のＸは、互いに異なる値であってもよいものとする。
【０１０４】
・サイドリンクのメジャメント
以下、サイドリンクのメジャメントについて説明する。
【０１０５】
メジャメントされる項目（又は内容）、即ち品質測定の項目は、多様に考えられる。例えば、品質測定の項目は、サイドリンクのＲＳＲＰ、サイドリンクのＢＬＥＲ、リモートＵＥ３００とリレーＵＥ２００との間のＴＡ又はパスロスの少なくともいずれかであってもよい。
【０１０６】
また、メジャメントの対象となるリンク、即ち品質の測定対象のリンクは、多様に考えられる。例えば、測定対象のリンクは、ＰＳＤＣＨ（Physical  Sidelink  Discovery  Channel）、ＰＳＣＣＨ（Physical  Sidelink  Control  Channel）又はＰＳＳＣＨ（Physical  Sidelink  Shared  Channel）の少なくともいずれかであってもよい。
【０１０７】
メジャメントタイミングは、多様に考えられる。
【０１０８】
リモートＵＥ３００は、周期的に（Periodically）サイドリンクをメジャメントしてもよい。その場合、例えば、測定周期（period）は、リレーＵＥ２００若しくは基地局１００から通知され得、又は基地局１００により事前に設定され得る。
【０１０９】
他方、リモートＵＥ３００は、イベントトリガに基づいてサイドリンクをメジャメントしてもよい。例えば、リモートＵＥ３００は、リレーＵＥ２００又は基地局１００からのメジャメントリクエストを受信してからＸサブフレーム後に、メジャメントし得る。また、リモートＵＥ３００は、リンク品質が閾値αを下回った場合にメジャメントし得る。閾値αは、リレーケイパビリティ（例えば、リレーＵＥ２００に接続可能なリモートＵＥ３００の最大数）又はネットワークの密度等に応じて、基地局１００又はリレーＵＥ２００により適宜通知されてもよいし、事前に設定されてもよい。また、閾値αは、リモートＵＥ３００の電池残量及び電池容量（即ち、最大値）に応じて、動的に又は静的に決定されてもよい。また、閾値αは、すべてのリモートＵＥ３００間で同一に設定されてもよいしよいし、ＵＥグループに属するリモートＵＥ３００間に設定されてもよいし、個々のリモートＵＥ３００ごとに設定されてもよい。
【０１１０】
また、メジャメント頻度及び精度は、更新されてもよい。例えば、リンク品質が所定値を下回った場合、メジャメントがより頻繁に且つより精密に実施される。
【０１１１】
・リソース設定
アソシエーション情報は、サイドリンクディスカバリ又はサイドリンク通信のためのリソース設定のために使用されてもよい。例えば、アソシエーション関係があるリレーＵＥ２００（第１のリレー通信装置に相当）とアソシエーション関係がないリレーＵＥ２００（第２のリレー通信装置に相当）とで、ディスカバリ又は通信のために異なるリソースが設定されてもよい。換言すると、基地局１００は、アソシエーション関係があるリレーＵＥ２００及びリモートＵＥ３００と、アソシエーション関係がないリレーＵＥ２００及びリモートＵＥ３００とで、異なるリソースを設定する。そして、リレーＵＥ２００は、自身とアソシエーション関係があるリモートＵＥ３００への信号とアソシエーション関係がないリモートＵＥ３００への信号とを、異なるリソースを用いて送信する。ここで送信される信号は、例えば発見信号又は参照信号である。
【０１１２】
これにより、リモートＵＥ３００は、アソシエーション関係があるリレーＵＥ２００とのリンク品質をメジャメントする場合、アソシエーション情報に基づいて限定されたリソースにおいてメジャメントすればよくなる。よって、リモートＵＥ３００は、リソース全体においてメジャメント（即ち、ブラインド検出（blind  detection））する必要がなくなるので、消費電力を抑制することが可能となる。
【０１１３】
例えば、アソシエーション関係があるリレーＵＥ２００とリモートＵＥ３００のペアには、アソシエーション関係がない他のペアと直交するリソースが設定される。アソシエーション関係があるペアの一方によるディスカバリアナウンスメントのためのリソース設定は、ディスカバリモニタリングを行う他方に通知される。
【０１１４】
ここで、設定されるリソースは、リソースプールであってもよいし、リソースブロックであってもよい。
【０１１５】
リソース設定は、動的な方法で調整されてもよい。例えば、サイドリンクディスカバリ又はサイドリンク通信のためのリソースは、基地局１００により動的に設定されてもよい。
【０１１６】
なお、アソシエーション情報は、サイドリンクを介して送信されるパケットに含まれてもよい。例えば、アソシエーション情報は、ＳＡ（Scheduling  Assignment）又はデータに含まれる。
【０１１７】
・メジャメントスキップ
既存技術としては、接続中のリンク以外の他のリンクの品質を常時メジャメントして、現在接続中のリンクより品質が良いリンクがあれば、当該リンクに接続を切り替えるものがある。
【０１１８】
これに対し、本実施形態に係るリモートＵＥ３００は、アソシエーション情報に基づいて、サイドリンクディスカバリ又はサイドリンク通信のためのメジャメントを行う。具体的には、リモートＵＥ３００は、アソシエーション情報に基づいてリレーＵＥ２００とのアソシエーション関係の有無を判断し、判断結果に基づいてメジャメントするリンクを選択する。例えば、リモートＵＥ３００は、アソシエーション関係があるリレーＵＥ２００とのリンクを、他のリンクよりも優先的に選択してメジャメントする。そして、リモートＵＥ３００は、基地局１００及びアソシエーション関係がないリレーＵＥ２００とのリンクを、低い優先度でメジャメントする。優先的にメジャメントすることは、他よりも高い頻度でメジャメントすること、メジャメントする順序が早いこと等であってもよい。また、低い優先度でメジャメントすることは、メジャメントをスキップすることであってもよい。なお、メジャメントをスキップするとは、所定の条件が満たされた場合に、メジャメントを行わずに現在接続中のリンクとの接続を継続することである。なお、低い優先度でメジャメントすることは、メジャメントを行う頻度を下げることであってもよい。いずれにせよ、アソシエーション関係があるリレーＵＥ２００とのリンク以外のリンクに関するメジャメント回数が既存技術と比較して削減されるので、消費電力の抑制が可能となる。
【０１１９】
例えば、リモートＵＥ３００は、アソシエーション関係があるリレーＵＥ２００に接続して通信している場合、他のリンクのメジャメントをスキップする。これにより、アソシエーション関係がないリレーＵＥ２００とのリンク、及び基地局１００とのリンクのメジャメントがスキップされるので、メジャメント回数が削減され、消費電力の抑制が可能となる。とりわけ、受信装置（Rx  chain）をひとつしか有さないリモートＵＥ３００は、リンクスイッチングを行って他のリンクをメジャメントせずに済むので、サービスの連続性を維持することが可能である。
【０１２０】
所定の条件が満たされる場合、スキップがキャンセルされてもよい。例えば、リモートＵＥ３００は、アソシエーション関係があるリレーＵＥ２００に接続して通信している場合、当該アソシエーション関係があるリレーＵＥ２００とのリンクの品質又は他のリンクのメジャメントリクエストに基づいて、他のリンクのメジャメントをスキップするか否かを選択する。より簡易には、リモートＵＥ３００は、例外が発生しない限り、接続中のサイドリンクのみをモニタリングして、他のリンクのメジャメントをスキップする。例外としては、接続中のサイドリンクの品質が悪化して閾値よりも悪くなることが挙げられる。なお、閾値は、リレーＵＥ２００から通知されてもよいし、基地局１００により事前に設定されてもよいし、リレーＵＥ２００と過去に通信していた際に用いられていた閾値が流用されてもよい。また、例外としては、メジャメントリクエストをリレーＵＥ２００から受信したこと等が挙げられる。なお、メジャメントリクエストとは、現在接続中のサイドリンク以外のリンクをメジャメントするようリクエストするメッセージである。
【０１２１】
リモートＵＥ３００は、ＯＯＣであり、且つアソシエーション関係があるどのリレーＵＥ２００も近隣で発見できなかった場合、アソシエーション関係がないリレーＵＥ２００と通信することも可能である。アソシエーション関係がないリレーＵＥ２００とのリンク品質をメジャメントするか否かを決定するために、タイマーが用いられてもよい。例えば、リモートＵＥ３００は、基地局１００又はアソシエーション関係があるリレーＵＥ２００からのリファレンス信号又はディスカバリ信号のいずれも発見できなかった場合、アソシエーション関係がないリレーＵＥ２００のためのリソースプールをメジャメントする。
【０１２２】
なお、リレーＵＥ２００とリモートＵＥ３００との間のサイドリンクディスカバリ又はサイドリンク通信のためのリソースは、基地局１００又はリレーＵＥ２００により通知される、又は基地局１００により事前に設定される。
【０１２３】
他方、リモートＵＥ３００は、アソシエーション関係があるリレーＵＥ２００（第１のリレー通信装置に相当）に接続して通信していない場合、アソシエーション関係があるリレーＵＥ２００とのリンクを優先的に選択して、メジャメントを行う。例えば、リモートＵＥ３００は、アソシエーション関係があるリレーＵＥ２００のためのリソースを優先的にモニタリングして、リンク品質をメジャメントする。これにより、リモートＵＥ３００は、アソシエーション関係があるリレーＵＥ２００への接続先の切り替えを、より早くに実現することが可能となる。
【０１２４】
以下、図７を参照して、上述したメジャメントスキップに関する処理の流れの一例を説明する。
【０１２５】
図７は、本実施形態に係るリモートＵＥ３００において実行されるメジャメント実施判定処理の流れの一例を示すフローチャートである。本処理は、いずれかのリンクに接続中のリモートＵＥ３００により実行される。
【０１２６】
図７に示すように、まず、リモートＵＥ３００は、現在接続中のリンクをメジャメントする（ステップＳ５２）。
【０１２７】
次いで、リモートＵＥ３００は、アソシエーション関係があるリレーＵＥ２００と通信しているか否かを判定する（ステップＳ５４）。アソシエーション関係があるリレーＵＥ２００と通信していないと判定された場合（ステップＳ５４／ＮＯ）、リモートＵＥ３００は、他のリンクをメジャメントする（ステップＳ６０）。
【０１２８】
アソシエーション関係があるリレーＵＥ２００と通信していると判定された場合（ステップＳ５４／ＹＥＳ）、リモートＵＥ３００は、現在接続中のリンクの品質は所定の閾値より良いか否かを判定する（ステップＳ５６）。現在接続中のリンクの品質は所定の閾値より悪いと判定された場合（ステップＳ５６／ＮＯ）、リモートＵＥ３００は、他のリンクをメジャメントする（ステップＳ６０）。
【０１２９】
現在接続中のリンクの品質は所定の閾値より良いと判定された場合（ステップＳ５６／ＹＥＳ）、リモートＵＥ３００は、他のリンクをメジャメントするようリクエストされたか否かを判定する（ステップＳ５８）。他のリンクをメジャメントするようリクエストされたと判定された場合（ステップＳ５８／ＹＥＳ）、リモートＵＥ３００は、他のリンクをメジャメントする（ステップＳ６０）。
【０１３０】
他のリンクをメジャメントするようリクエストされていないと判定された場合（ステップＳ５８／ＮＯ）、処理は終了する。
【０１３１】
（２）接続先リンクの選択
（２．１）選択主体
リモートＵＥ３００の接続先リンクの選択は、任意のエンティティにより行われる。なお、接続先リンクの選択のことを、決定（ディシジョン（decision））とも称する場合がある。また、ここでの接続先とは、キャンプオン先を意味するものとする。
【０１３２】
・リモートＵＥ３００
リモートＵＥ３００の接続先リンクの決定は、リモートＵＥ３００により行われてもよい。その場合、リモートＵＥ３００は、メジャメント結果（例えば、ダウンリンクのＲＳＲＰ及びサイドリンクのＲＳＲＰ等）に基づいて、自身で接続先のリンクを決定する。
【０１３３】
・リレーＵＥ２００
リモートＵＥ３００の接続先リンクの決定は、リレーＵＥ２００により行われてもよい。その場合、リモートＵＥ３００は、少なくともメジャメント結果を示す情報をリレーＵＥ２００に報告する。そして、リレーＵＥ２００は、リモートＵＥ３００からの報告に基づいて、リモートＵＥ３００の接続先のリンクを決定する。
【０１３４】
報告内容は多様に考えられる。例えば、報告内容は、メジャメント結果を示す情報を含む。報告内容は、電池情報又はアソシエーション情報等の他の情報を含んでいてもよい。
【０１３５】
報告タイミングは多様に考えられる。例えば、周期的に報告されてもよい。また、メジャメントしてからＸサブフレーム後に報告されてもよい。このＸの値は、所定値であってもよいし、基地局１００又はリレーＵＥ２００により通知されてもよいし、リモートＵＥ３００により決定されてもよい。また、リレーＵＥ２００又は基地局１００からの報告リクエストが受信されたタイミングで報告されてもよい。
【０１３６】
報告経路は、サイドリンクである。
【０１３７】
・基地局１００
リモートＵＥ３００の接続先リンクの決定は、基地局１００により行われてもよい。その場合、リモートＵＥ３００は、少なくともメジャメント結果を示す情報を基地局１００に報告する。そして、基地局１００は、リモートＵＥ３００からの報告に基づいて、リモートＵＥ３００の接続先のリンクを決定する。
【０１３８】
報告内容は多様に考えられる。例えば、報告内容は、メジャメント結果を示す情報を含む。報告内容は、電池情報又はアソシエーション情報等の他の情報を含んでいてもよい。
【０１３９】
報告タイミングは多様に考えられる。例えば、周期的に報告されてもよい。また、メジャメントしてからＸサブフレーム後に報告されてもよい。このＸの値は、所定値であってもよいし、基地局１００又はリレーＵＥ２００により通知されてもよいし、リモートＵＥ３００により決定されてもよい。また、リレーＵＥ２００又は基地局１００からの報告リクエストが受信されたタイミングで報告されてもよい。
【０１４０】
報告経路は、リレーＵＥ２００を介して間接的に、即ちサイドリンク及びアップリンクであってもよい。また、報告経路は、直接的に、即ちアップリンクのみであってもよい。
【０１４１】
（２．２）決定方法
アソシエーション情報に基づいて、接続先のリンク（例えば、キャンプオンするリンク）が決定される。具体的には、接続先リンクは、アソシエーション情報に基づく優先順位に従って決定される。アソシエーション関係があるリレーＵＥ２００とのリンクが、接続先のリンクとして優先的に決定される。これにより、リモートＵＥ３００は、電力消費を抑制しつつ、安全な通信を行うことが可能となる。また、基地局１００とのリンクが、アソシエーション関係があるリレーＵＥ２００とのリンクに次ぐ優先度で、接続先のリンクとして決定される。これにより、リモートＵＥ３００は、少なくとも安全な通信を行うことが可能となる。また、アソシエーション関係がないリレーＵＥ２００とのリンクが、基地局１００とのリンクに次ぐ優先度で、接続先のリンクとして決定される。これにより、リモートＵＥ３００は、電力消費を抑制することが可能となる。このように、接続先は、アソシエーション関係があるリレーＵＥ２００に最も優先的に決定され、そうでなければ基地局１００に決定され、そうでなければアソシエーション関係がないリレーＵＥ２００に決定される。
【０１４２】
接続先のリンクは、上述したようなアソシエーション情報に基づく優先順位に従い、メジャメント結果に基づいて決定される。以下、その決定条件の一例を説明する。
【０１４３】
・アソシエーション関係があるリレーＵＥ２００
例えば、アソシエーション関係があるリレーＵＥ２００とのリンク品質が閾値Ｑｓｉｄｅｌｉｎｋより良く、基地局１００とのリンク品質が閾値ＱＵｕ＿ｌｉｎｋよりも悪い場合、接続先はアソシエーション関係があるリレーＵＥ２００に決定される。
【０１４４】
例えば、アソシエーション関係があるリレーＵＥ２００とのリンク品質が閾値Ｑｓｉｄｅｌｉｎｋより良く、基地局１００とのリンク品質が閾値ＱＵｕ＿ｌｉｎｋよりも良いが、Ｕｕリンクの品質がサイドリンクの品質よりも良い倍率Ｘが閾値θを超えない場合、接続先はアソシエーション関係があるリレーＵＥ２００に決定される。ここで、Ｘ＝ＱＵｕ＿ｌｉｎｋ／Ｑｓｉｄｅｌｉｎｋである。
【０１４５】
例えば、アソシエーション関係があるリレーＵＥ２００とのリンク品質が閾値Ｑｓｉｄｅｌｉｎｋより良く、基地局１００とのリンク品質が閾値ＱＵｕ＿ｌｉｎｋよりも良いが、Ｕｕリンクの品質がサイドリンクの品質よりも良い倍率Ｘが閾値θを超える場合、接続先は基地局１００に決定される。ここで、Ｘ＝ＱＵｕ＿ｌｉｎｋ／Ｑｓｉｄｅｌｉｎｋである。
【０１４６】
・基地局１００
例えば、基地局１００とのリンク品質が閾値ＱＵｕ＿ｌｉｎｋより良く、アソシエーション関係があるリレーＵＥ２００とのリンク品質が閾値Ｑｓｉｄｅｌｉｎｋより悪い場合、接続先は基地局１００に決定される。
【０１４７】
・アソシエーション関係がないリレーＵＥ２００
例えば、アソシエーション関係があるリレーＵＥ２００とのリンク品質が閾値Ｑｓｉｄｅｌｉｎｋより悪く、基地局１００とのリンク品質が閾値ＱＵｕ＿ｌｉｎｋより悪く、アソシエーション関係がないリレーＵＥ２００とのリンク品質が閾値Ｑｓｉｄｅｌｉｎｋより良い場合、接続先は基地局１００に決定される。
【０１４８】
以上、接続先リンクの決定条件の一例を説明した。上述した閾値ＱＵｕ＿ｌｉｎｋ、閾値Ｑｓｉｄｅｌｉｎｋ及び閾値θは、基地局１００又はリレーＵＥ２００により通知又は事前に設定されてもよいし、決定主体により決定されてもよい。さらには、これらの閾値は、メジャメント結果に応じて動的に変更されてもよい。
【０１４９】
＜＜３．第２の実施形態＞＞
＜３．１．技術的課題＞
Ｄ２Ｄ通信では、各々のＵＥが個別にメジャメントを行う。いくつかのリモートＵＥは、他のリモートＵＥと非常に近接して位置することが想定される。その場合には、各々のリモートＵＥのメジャメント結果は非常に類似するものと考えられる。そうすると、全てのリモートがメジャメントすることは、無線リソース及び電力の無駄であると考えられる。
【０１５０】
そこで、本実施形態では、メジャメント結果が類似すると想定される複数のリモートＵＥの間でメジャメント結果を共有することで、複数のリモートＵＥ全体の消費電力を抑制する仕組みを提案する。
【０１５１】
＜３．２．技術的特徴＞
近隣に位置する複数のリモートＵＥ３００は、メジャメント結果を共有する。
【０１５２】
そのために、近隣に位置する複数のリモートＵＥ３００のうち、ひとつ又は少数のリモートＵＥ３００が代表となってメジャメントを行い、その結果を他のリモートＵＥ３００との間で共有する。具体的には、リモートＵＥ３００は、近隣に他のリモートＵＥ３００が存在する場合、代表として選択された場合はメジャメント行ってメジャメント結果に基づく共有情報を生成して近隣の他のリモートＵＥ３００と共有し、代表として選択されなかった場合は代表として選択された近隣の他のリモートＵＥ３００から共有情報の共有を受ける。これにより、共有した複数のリモートＵＥ全体の消費電力を抑制することが可能となる。なお、近隣の複数のリモートＵＥ３００とは、メジャメント結果が類似する範囲に位置する複数のリモートＵＥ３００である。具体的には、近隣の複数のリモートＵＥ３００とは、同じオーナーに所有されている、相対位置が変化せず且つ同一のモビリティを有する、又は互いに所定の距離以内である、等の所定の条件を満たす複数のリモートＵＥ３００である。
【０１５３】
他方、基地局１００及びリレーＵＥ２００は、互いに近隣に位置する複数のリモートＵＥ３００のうち、代表として選択されたリモートＵＥ３００によるメジャメント結果に基づいて生成された共有情報の、代表として選択されなかったリモートＵＥ３００への共有を中継する。これにより、代表として選択されたリモートＵＥ３００とそれ以外のリモートＵＥ３００との、情報共有が実現される。
【０１５４】
このように、複数のリモートＵＥ３００のうち一部のリモートＵＥ３００によるメジャメント結果がその他のリモートＵＥ３００に共有される。従って、複数のリモートＵＥ全体におけるメジャメント回数を削減することができ、それに伴い全体の消費電力を抑制することが可能となる。
【０１５５】
代表としての役割を担うリモートＵＥ３００を、代表リモートＵＥ３００とも称する。リモートＵＥ３００を、単に代表とも称する場合がある。また、近隣の複数のリモートＵＥ３００を、リモートＵＥ群とも称する。リモートＵＥ群の中で代表が選択されて、メジャメント結果が共有される。
【０１５６】
以下、図８を参照して、メジャメント結果の共有に関する処理の流れの一例を説明する。
【０１５７】
図８は、本実施形態に係るリモートＵＥ群において実行されるメジャメント処理の流れの一例を示すフローチャートである。図８に示す処理は、近隣に位置する複数のリモートＵＥ３００から成るリモートＵＥ群により実行されるものとする。図８に示すように、リモートＵＥ群は、代表リモートＵＥ３００を選択する（ステップＳ６２）。次いで、代表リモートＵＥ３００は、メジャメントを行い（ステップＳ６４）、メジャメント結果をリモートＵＥ群に含まれる他のリモートＵＥ３００と共有する（ステップＳ６６）。そして、リモートＵＥ群に含まれる複数のリモートＵＥ３００は、個々に接続先リンクを決定する（ステップＳ６８）。
【０１５８】
なお、本図では、メジャメント結果が共有されてから接続先リンクの決定が行われる例を示したが、本技術はかかる例に限定されない。例えば、メジャメント結果に基づく接続先のリンクの決定が行われてから、その決定結果が共有されてもよい。
【０１５９】
（１）代表リモートＵＥ３００の選択
代表としての役割を担うよう選択されたリモートＵＥ３００は、代表リモートＵＥ３００として動作するようになる。以下、代表リモートＵＥ３００の選択について説明する。
【０１６０】
・選択主体
まず、代表リモートＵＥ３００の選択主体について説明する。
【０１６１】
代表リモートＵＥ３００は、基地局１００又はリレーＵＥ２００による指示に基づいて選択されてもよい。基地局１００からの指示は、ＲＲＣ（Radio  Resource  Control）シグナリング、ＤＣＩ（Downlink  Control  Information）又はシステム情報（例えば、ＳＩＢ（System  Information  Block））を用いて送信され得る。また、リレーＵＥ２００からの指示は、ＳＡ又はデータパケットを用いて送信され得る。
【０１６２】
代表リモートＵＥ３００は、交代で選択されてもよい。例えば、タイマーがセットされて、リモートＵＥ３００は、代表としての役割をタイマーが満了するまで担い、満了後は次のリモートＵＥ３００が代表としての役割を担う。タイマー及び交代順序は、基地局１００により通知又は事前に設定されてもよいし、リレーＵＥ２００により通知されてもよいし、リモートＵＥ３００により設定されてもよい。
【０１６３】
リモートＵＥ３００は、自発的に代表になってもよい。例えば、リモートＵＥ３００は、基地局１００又はリレーＵＥ２００にリクエストを送信して承認を受けることで、自発的に代表になる。同一のリモートＵＥ群に含まれるひとつ以上のリモートＵＥ３００が代表となるためのリクエストを送信した場合、基地局１００又はリレーＵＥ２００はリクエストを承認するか否かを決定する。同一のリモートＵＥ群からはひとつのリモートＵＥ３００のみが代表として承認されてもよい。例えば、自発的に代表になろうとする複数のリモートＵＥ３００間で位置情報及び電池情報等の状態を比較することで、代表として承認されるリモートＵＥ３００が決定される。他方、同一のリモートＵＥ群から複数のリモートＵＥ３００が代表として承認されてもよい。その場合、基地局１００又はリレーＵＥ２００は、代表として承認された複数のリモートＵＥ３００の振る舞いを指示し得る。例えば、複数の代表リモートＵＥ３００が、互いに異なるタイミングで（例えば、交代で）メジャメントを行うように、又は互いに異なるリモートＵＥ３００を共有先とするように、振る舞いが指示され得る。
【０１６４】
どのリモートＵＥ３００が代表として選択されるかは、基地局１００により事前に設定されてもよい。
【０１６５】
・選択タイミング
次いで、代表リモートＵＥ３００の選択（又は再選択）タイミングについて説明する。
【０１６６】
代表リモートＵＥ３００は、周期的に選択されてもよい。例えば、選択周期は、基地局１００又はリレーＵＥ２００により通知されてもよい。また、選択周期は、リモートＵＥ３００により決定されてもよい。また、選択周期は、基地局１００により事前に設定されてもよい。
【０１６７】
代表リモートＵＥ３００は、非周期的に選択されてもよい。例えば、基地局１００又はリレーＵＥ２００が、代表を選択するようリクエストを送信することで、代表リモートＵＥ３００が選択されてもよい。また、現在の代表リモートＵＥ３００が所定の条件（例えば、後述する代表の解除基準）が満たした場合に、新たに代表リモートＵＥ３００が選択されてもよい。この所定の条件は、後述する解除基準のように、電池残量の低下、タイマー満了又はセルからの離脱若しくは現在所属するリモートＵＥ群からの離脱等の、これ以上代表としてメジャメントを行うことが困難になる条件である。また、リモートＵＥ群において代表の選択の解除が発生してからＸサブフレーム後に、代表リモートＵＥ３００が選択されてもよい。
【０１６８】
・選択基準
次いで、代表リモートＵＥ３００の選択基準について説明する。
【０１６９】
リモートＵＥ群に含まれる各リモートＵＥ３００のケイパビリティ（例えば、電池情報及び処理能力情報（例えば、計算能力及び記憶能力））に基づいて、代表が選択されてもよい。例えば、電池残量及び処理能力が高いリモートＵＥ３００が、代表として選択される。
【０１７０】
リモートＵＥ群に含まれる各リモートＵＥ３００の地理位置情報に基づいて、代表が選択されてもよい。例えば、メジャメントが容易な地点に位置するリモートＵＥ３００が、代表として選択される。
【０１７１】
リモートＵＥ群に含まれる各リモートＵＥ３００の相対的な位置情報に基づいて、代表が選択されてもよい。例えば、リモートＵＥ群の中心付近に位置するリモートＵＥ３００が、代表として選択される。
【０１７２】
リモートＵＥ群に含まれる各リモートＵＥ３００の、基地局１００及び／又はリレーＵＥ２００とのリンク品質に基づいて、代表が選択されてもよい。例えば、リンク品質が最も良い、悪い、平均値に近い又は中央値であるリモートＵＥ３００が、代表として選択される。
【０１７３】
リモートＵＥ群に含まれる各リモートＵＥ３００のセキュリティ要件に基づいて、代表が選択されてもよい。例えば、セキュリティ要件が最も高いリモートＵＥ３００が、代表として選択される。
【０１７４】
リモートＵＥ群に含まれる各リモートＵＥ３００のアソシエーション情報に基づいて、代表が選択されてもよい。例えば、同一のリレーＵＥ２００とアソシエーション関係がある複数のリモートＵＥ３００の中から、ひとつの代表リモートＵＥ３００が選択されてもよい。
【０１７５】
（２）代表の選択の解除
代表の選択は解除され得る。代表としての役割を担っていた代表リモートＵＥ３００は、代表の選択を解除されると、代表でない通常のリモートＵＥ３００として動作するようになる。以下、代表の選択の解除について説明する。
【０１７６】
・解除主体
まず、代表の選択の解除主体について説明する。
【０１７７】
代表の選択は、基地局１００又はリレーＵＥ２００による指示に基づいて解除されてもよい。
【０１７８】
代表の選択は、代表リモートＵＥ３００自身により解除されてもよい。
【０１７９】
・解除タイミング
次いで、代表の選択の解除タイミングについて説明する。
【０１８０】
代表の選択は、周期的に解除されてもよい。解除周期は、基地局１００又はリレーＵＥ２００により通知されてもよい。また、解除周期は、リモートＵＥ３００により決定されてもよい。また、解除周期は、基地局１００により事前に設定されてもよい。
【０１８１】
代表の選択は、非周期的に解除されてもよい。例えば、基地局１００又はリレーＵＥ２００が、代表を選択するようリクエストを送信したタイミングで、現在の代表リモートＵＥ３００が担っていた代表の選択が解除されてもよい。例えば、現在の代表リモートＵＥ３００が所定の条件（例えば、後述する代表の解除基準）が満たした場合に、代表の選択が解除されてもよい。この所定の条件は、後述する解除基準のように、電池残量の低下、タイマー満了又はセルからの離脱若しくは現在所属するリモートＵＥ群からの離脱等の、これ以上代表としてメジャメントを行うことが困難になる条件である。
【０１８２】
・解除基準
次いで、代表の選択の解除基準について説明する。
【０１８３】
代表リモートＵＥ３００のケイパビリティ（例えば、電池情報及び処理能力情報（例えば、計算能力及び記憶能力））に基づいて、代表の選択が解除されてもよい。例えば、代表リモートＵＥ３００の電池残量及び処理能力が閾値以下になった場合に、代表の選択が解除される。
【０１８４】
代表リモートＵＥ３００が選択されてからの経過時間に基づいて、代表の選択が解除されてもよい。例えば、代表リモートＵＥ３００が選択されてから所定のタイマーが満了した場合に、代表の選択が解除される。
【０１８５】
代表リモートＵＥ３００の地理位置情報及び予測される将来の位置に基づいて、代表の選択が解除されてもよい。例えば、代表リモートＵＥ３００が、メジャメントが困難な地点に位置している、セルから離脱した又は将来的に位置し得ると予測された場合に、代表の選択が解除される。
【０１８６】
代表リモートＵＥ３００と同一のリモートＵＥ群に含まれる他のリモートＵＥ３００との相対的な位置情報に基づいて、代表の選択が解除されてもよい。例えば、代表リモートＵＥ３００の位置が、他のリモートＵＥ３００と離れた場合に、代表の選択が解除される。
【０１８７】
代表リモートＵＥ３００の、基地局１００及び／又はリレーＵＥ２００とのリンク品質に基づいて、代表の選択が解除されてもよい。例えば、代表リモートＵＥ３００の基地局１００及び／又はリレーＵＥ２００とのリンク品質が閾値より悪くなった場合に、代表の選択が解除される。
【０１８８】
代表リモートＵＥ３００のセキュリティ要件に基づいて、代表の選択が解除されてもよい。例えば、代表リモートＵＥ３００のセキュリティ要件を満たすことが困難な状況になった場合に、代表の選択が解除される。
【０１８９】
（３）メジャメント結果の共有
・共有される情報
共有情報は、多様な情報を含み得る。
【０１９０】
例えば、共有情報は、メジャメント結果を含んでいてもよい。
【０１９１】
また、共有情報は、メジャメント結果に基づいて行われた、接続先リンクのディシジョン結果を含んでいてもよい。ディシジョン結果は、例えば接続先リンク、接続先の基地局１００又はリレーＵＥ２００の識別情報を含む。
【０１９２】
また、共有情報は、代表リモートＵＥ３００の状態を示す情報を含んでいてもよい。代表リモートＵＥ３００の状態を示す情報としては、ＵＩＤ、地理位置情報、電池情報、アソシエーション関係があるリレーＵＥ２００の識別情報、接続中のセルＩＤ、及びリレーＵＥ２００又は基地局１００との現在の通信状態を示す情報等が挙げられる。
【０１９３】
また、共有情報は、メジャメント結果の有効期限を示す情報を含んでいてもよい。例えば、メジャメント結果は、メジャメントが行われてからＸサブフレーム後までの間、有効であってもよい。
【０１９４】
また、共有情報は、前回に共有された情報からの変化量を含んでいてもよい。例えば、共有情報は、前回に共有されたＲＳＲＰからの低下量又は改善量を含んでいてもよい。
【０１９５】
・共有経路
共有経路は多様に考えられる。
【０１９６】
共有経路は、サイドリンクのみを含んでいてもよい。例えば、共有情報は、代表リモートＵＥ３００からリレーＵＥ２００を介して他のリモートＵＥ３００へ共有される。
【０１９７】
共有経路は、Ｕｕリンク（即ち、アップリンク及びダウンリンク）のみを含んでいてもよい。例えば、共有情報は、代表リモートＵＥ３００から基地局１００を介して他のリモートＵＥ３００へ共有される。
【０１９８】
共有経路は、サイドリンクとＵｕリンク（即ち、アップリンク及びダウンリンク）とを含んでいてもよい。例えば、共有情報は、代表リモートＵＥ３００から基地局１００、次いでリレーＵＥ２００を介して他のリモートＵＥ３００へ共有されてもよい。また、共有情報は、例えば代表リモートＵＥ３００からリレーＵＥ２００、次いで基地局１００を介して他のリモートＵＥ３００へ共有されてもよい。また、共有情報は、例えば代表リモートＵＥ３００から第１のリレーＵＥ２００、次いで基地局１００、さらに第２のリレーＵＥ２００を介して、他のリモートＵＥ３００へ共有されてもよい。
【０１９９】
共有経路上の装置（基地局１００又はリレーＵＥ２００）は、共有情報を受信した後、共有情報を、いつ、どのリモートＵＥ３００に、どう転送するか（例えば、直接送信するか、他の装置をさらに経由させるか）を決定する。
【０２００】
・共有タイミング
共有タイミングは多様に考えられる。
【０２０１】
共有情報は、周期的に共有されてもよい。例えば、共有周期は、基地局１００又はリレーＵＥ２００により通知されてもよい。また、共有周期は、基地局１００により事前に設定されてもよい。
【０２０２】
共有情報は、非周期的に共有されてもよい。例えば、共有情報は、メジャメントが行われてからＸサブフレーム後に共有されてもよい。なお、Ｘは、所定値であってもよいし、基地局１００又はリレーＵＥ２００により通知されてもよい。また、代表リモートＵＥ３００は、リレーＵＥ２００又は基地局１００からの共有リクエストを受信したタイミングで、共有情報を共有してもよい。
【０２０３】
＜＜４．実施例＞＞
＜４．１．第１の実施例＞
本実施例は、アソシエーション関係の有無に応じたリソース設定に関する。
【０２０４】
図９は、第１の実施例を説明するための図である。図９に示すように、基地局１００は、セル１０１を運用しており、そのカバレッジ内にリレーＵＥ２００（２００Ａ〜２００Ｃ）及びリモートＵＥ３００が位置している。
【０２０５】
リモートＵＥ３００は、基地局１００に接続しており、リレーＵＥ２００Ａ及びリレーＵＥ２００Ｂとのアソシエーション関係があり、リレーＵＥ２００Ｃとのアソシエーション関係がないものとする。ただし、リモートＵＥ３００は、アソシエーション関係があるどのリレーＵＥ２００とも通信を行っていないものとする。
【０２０６】
アソシエーション情報は、サイドリンクリソースの割り当てのために用いられる。リレーＵＥ２００及びリモートＵＥ３００には、アソシエーション情報に基づいて、ディスカバリアナウンスメント及びモニタリングのためのリソース設定が行われる。リソース設定は、基地局１００により通知される、動的に調整される、又は事前に行われる。例えば、リソース設定は、リモートＵＥ３００及び３つのリレーＵＥ２００の各々が基地局１００に接続したときに基地局１００により行われてもよい。
【０２０７】
また、アソシエーション情報は、メジャメントのために用いられる。なお、ダウンリンク及びサイドリンクのＢＬＥＲが、メジャメントのための評価基準であるものとする。
【０２０８】
以下、図９に示した状況におけるリソース設定及びメジャメントの一例を、図１０及び図１１を参照して説明する。
【０２０９】
図１０は、本実施例におけるリソース設定及びメジャメントの一例を説明するための図である。図１０に示した例では、アソシエーション関係があるか否かに応じて、異なるリソースプールが設定されている。アソシエーション関係があるリレーＵＥ向けのリソースプールは周波数ｆ１〜ｆ２までであり、アソシエーション関係がないリレーＵＥ向けのリソースプールは周波数ｆ２〜ｆ３までである。リモートＵＥ３００とのアソシエーション関係があるリレーＵＥ２００Ａ及びリレーＵＥ２００Ｂは、周波数ｆ１〜ｆ２を用いて、サイドリンクディスカバリを行う。他方、リモートＵＥ３００とのアソシエーション関係がないリレーＵＥ２００Ｃは、周波数ｆ２〜ｆ３を用いて、サイドリンクディスカバリを行う。この場合、リモートＵＥ３００は、周波数ｆ１〜ｆ２までのみをモニタすればよい。これにより、リモートＵＥ３００は、周波数ｆ２〜ｆ３までのモニタが不要となるので、消費電力が抑制される。
【０２１０】
なお、図１０では、ＦＤＤの例を示しているが、ＴＤＤの場合でも同様の設定が行われてもよい。
【０２１１】
図１１は、本実施例におけるリソース設定及びメジャメントの一例を説明するための図である。図１１に示した例では、リソースプールと比較して細かい粒度のリソース（例えば、リソースブロック）が、個々のリレーＵＥ２００に対して専用に割り当てられている。リモートＵＥ３００は、各々のリレーＵＥ２００に割り当てられたリソースを示す情報を、基地局１００から通知されたものとする。この場合、リモートＵＥ３００は、リレーＵＥ２００Ａ及びリレーＵＥ２００Ｂの各々に専用に割り当てられたリソースのみをメジャメントする。これにより、リモートＵＥ３００は、メジャメントを行うリソースを最小限に抑制することができるので、消費電力が抑制される。
【０２１２】
＜４．２．第２の実施例＞
本実施例は、アソシエーション関係の有無に応じたリソース設定に関する。
【０２１３】
図１２は、第２の実施例を説明するための図である。図１２に示すように、基地局１００は、セル１０１を運用しており、そのカバレッジ内にリレーＵＥ２００Ａ及び２００Ｂが位置し、カバレッジ外にリモートＵＥ３００が位置している。ただし、リレーＵＥ２００ＡはリモートＵＥ３００から遠く、通信は困難であるものとする。
【０２１４】
リモートＵＥ３００は、基地局１００に接続しており、リレーＵＥ２００Ａとはアソシエーション関係があり、リレーＵＥ２００Ｂとはアソシエーション関係がないものとする。ただし、リモートＵＥ３００は、アソシエーション関係があるどのリレーＵＥ２００とも通信を行っていないものとする。
【０２１５】
本実施例においても、第１の実施例と同様に、アソシエーション情報は、サイドリンクリソースの割り当て及びメジャメントのために用いられる。その一例を、図１３を参照して説明する。
【０２１６】
図１３は、本実施例におけるリソース設定及びメジャメントの一例を説明するための図である。図１３に示した例では、アソシエーション関係があるか否かに応じて、異なるリソースプールが設定されている。アソシエーション関係があるリレーＵＥ向けのリソースプールは周波数ｆ１〜ｆ２までであり、アソシエーション関係がないリレーＵＥ向けのリソースプールは周波数ｆ２〜ｆ３までである。このため、リレーＵＥ２００Ａは、周波数ｆ１〜ｆ２においてディスカバリアナウンスメントを行い、リレーＵＥ２００Ｂは、周波数ｆ２〜ｆ３においてディスカバリアナウンスメントを行う。
【０２１７】
例えば、４０ｍｓのタイマーが事前に設定されたものとする。リモートＵＥ３００は、まず、アソシエーション関係があるリレーＵＥ２００Ａに割り当てられたリソースプールである、周波数ｆ１〜ｆ２のサブフレーム及びＰＲＢ（Physical  Resource  Block）においてメジャメントを行う。しかし、リレーＵＥ２００Ａからのディスカバリアナウンスメントを検出できないまま４０ｍｓが経過したものとする。すると、リモートＵＥ３００は、メジャメントする周波数を切り替える。詳しくは、リモートＵＥ３００は、アソシエーション関係がないリレーＵＥ２００Ｂに割り当てられたリソースプールである、周波数ｆ２〜ｆ３のサブフレーム及びＰＲＢにおいてメジャメントを行う。これにより、リモートＵＥ３００は、リレーＵＥ２００Ｂからのディスカバリアナウンスメントの検出に成功することになる。
【０２１８】
＜４．３．第３の実施例＞
本実施例は、メジャメントスキップの実施／不実施の具体例に関する。
【０２１９】
本実施例における各シナリオの内容を、下記の表１に示す。
【０２２０】
【表１】
2018160861.tif 000003
【０２２１】
リンク性能（即ち、リンク品質）の評価は、ＢＬＥＲにより行われるものとする。なお、ＢＬＥＲは小さいほど良く、大きいほど悪い。例えば、リモートＵＥ３００は、ＢＬＥＲが１％より小さいときはリンク品質が良いと判断し、そのリンクで通信可能であると評価するものとする。
【０２２２】
シナリオ１について説明する。リモートＵＥ３００は、アソシエーション関係があるリレーＵＥ２００と通信している。また、リンク品質は、ＢＬＥＲが１％以下であるので良い。また、リモートＵＥ３００は、メジャメントリクエストを受けていない。そのため、リモートＵＥ３００は、他のリンクのメジャメントをスキップする。
【０２２３】
シナリオ２について説明する。リモートＵＥ３００は、アソシエーション関係があるリレーＵＥ２００と通信している。また、リンク品質は、ＢＬＥＲが１％以下であるので良い。しかし、リモートＵＥ３００は、メジャメントリクエストを受けている。そのため、リモートＵＥ３００は、他のリンクのメジャメントを行う。
【０２２４】
シナリオ３について説明する。モートＵＥ３００は、アソシエーション関係があるリレーＵＥ２００と通信している。また、リモートＵＥ３００は、メジャメントリクエストを受けていない。しかし、リンク品質は、ＢＬＥＲが１％以上であるので悪い。そのため、リモートＵＥ３００は、他のリンクのメジャメントを行う。
【０２２５】
シナリオ４〜７について説明する。リモートＵＥ３００は、アソシエーション関係がないリレーＵＥ２００と通信している。そのため、リモートＵＥ３００は、リンク品質及びメジャメントリクエストの有無によらず、他のリンクのメジャメントを行う。
【０２２６】
＜４．４．第４の実施例＞
本実施例は、接続先リンクを決定する主体の具体例に関する。
【０２２７】
以下、図１４〜図１８を参照して説明するように、決定主体は、基地局１００、リレーＵＥ２００又はリモートＵＥ３００のいずれかにより行われ得る。
【０２２８】
図１４は、本実施例の第１のシナリオを説明するためのシーケンス図である。図１４に示すように、本シナリオでは、リモートＵＥ３００が、メジャメント及びディシジョン（即ち、接続先リンクの決定）を行う（ステップＳ１０２）。なお、閾値等の接続先リンクの決定基準は、事前に設定されるものとする。このように、リモートＵＥ３００がディシジョンを行ってもよい
【０２２９】
図１５は、本実施例の第２のシナリオを説明するためのシーケンス図である。本シナリオでは、リモートＵＥ３００は、リレーＵＥ２００との通信が可能であるものとする。例えば、リモートＵＥ３００は、リレーＵＥ２００に接続しているか、カバレッジ内のリレーＵＥ２００及びリモートＵＥ３００に接続している。図１５に示すように、まず、リモートＵＥ３００は、メジャメントを行い（ステップＳ１１２）、メジャメント結果を含むメジャメントレポートをリレーＵＥ２００に送信する（ステップＳ１１４）。そして、リレーＵＥ２００は、ディシジョンを行い（ステップＳ１１６）、ディシジョン結果をリモートＵＥ３００に送信する（ステップＳ１１８）。このように、リレーＵＥ２００がディシジョンを行ってもよい。
【０２３０】
図１６は、本実施例の第３のシナリオを説明するためのシーケンス図である。本シナリオでは、リモートＵＥ３００は、基地局１００との通信が可能であるものとする。図１６に示すように、まず、リモートＵＥ３００は、メジャメントを行い（ステップＳ１２２）、メジャメント結果を含むメジャメントレポートを、基地局１００を介してリレーＵＥ２００に送信する（ステップＳ１２４、Ｓ１２６）。そして、リレーＵＥ２００は、ディシジョンを行い（ステップＳ１２８）、ディシジョン結果を、基地局１００を介してリモートＵＥ３００に送信する（ステップＳ１３０、Ｓ１３２）。このように、リレーＵＥ２００がディシジョンを行ってもよい。
【０２３１】
図１７は、本実施例の第４のシナリオを説明するためのシーケンス図である。本シナリオでは、リモートＵＥ３００は、リレーＵＥ２００との通信が可能であるものとする。例えば、リモートＵＥ３００は、リレーＵＥ２００に接続しているか、カバレッジ内のリレーＵＥ２００及びリモートＵＥ３００に接続している。図１７に示すように、まず、リモートＵＥ３００は、メジャメントを行い（ステップＳ１４２）、メジャメント結果を含むメジャメントレポートを、リレーＵＥ２００を介して基地局１００に送信する（ステップＳ１４４、Ｓ１４６）。そして、基地局１００は、ディシジョンを行い（ステップＳ１４８）、ディシジョン結果を、リレーＵＥ２００を介してリモートＵＥ３００に送信する（ステップＳ１５０、Ｓ１５２）。このように、基地局１００がディシジョンを行ってもよい。
【０２３２】
図１８は、本実施例の第５のシナリオを説明するためのシーケンス図である。本シナリオでは、リモートＵＥ３００は、基地局１００との通信が可能であるものとする。図１８に示すように、まず、リモートＵＥ３００は、メジャメントを行い（ステップＳ１６２）、メジャメント結果を含むメジャメントレポートを基地局１００に送信する（ステップＳ１６４）。そして、基地局１００は、ディシジョンを行い（ステップＳ１６６）、ディシジョン結果をリモートＵＥ３００に送信する（ステップＳ１６８）。このように、基地局１００がディシジョンを行ってもよい。
【０２３３】
＜４．５．第５の実施例＞
本実施例は、接続先リンクの優先順位に関する
【０２３４】
本実施例における各シナリオの内容を、下記の表２に示す。
【０２３５】
【表２】
2018160861.tif 000004
【０２３６】
以下では、上記表２に示した第１〜第５のメジャメント結果が得られた場合の、接続先リンクの決定について説明する。ＵｕリンクのＢＬＥＲの閾値を１０％とし、サイドリンクのＢＬＥＲの閾値を３０％とする。また、Ｕｕリンクの品質がサイドリンクの品質よりも良い倍率Ｘに対する閾値θは、１．２であるものとする。
【０２３７】
第１のメジャメント結果によれば、アソシエーション関係があるリレーＵＥ２００とのサイドリンクのＢＬＥＲは閾値以下である。また、ＵｕリンクのＢＬＥＲも閾値以下ではあるが、サイドリンクのＢＬＥＲの方がＵｕリンクのＢＬＥＲよりも良い。従って、リモートＵＥ３００は、アソシエーション関係があるリレーＵＥ２００に接続する。
【０２３８】
第２のメジャメント結果によれば、アソシエーション関係があるリレーＵＥ２００とのサイドリンクのＢＬＥＲ、及びＵｕリンクのＢＬＥＲは閾値以下である。他方、アソシエーション関係があるリレーＵＥ２００とのサイドリンクのＢＬＥＲは、ＵｕリンクのＢＬＥＲの１．０２倍である。しかし、倍率１．０２は閾値θ以下である。従って、リモートＵＥ３００は、アソシエーション関係があるリレーＵＥ２００に接続する。
【０２３９】
第３のメジャメント結果によれば、アソシエーション関係があるリレーＵＥ２００とのサイドリンクのＢＬＥＲ、及びＵｕリンクのＢＬＥＲは閾値以下である。他方、アソシエーション関係があるリレーＵＥ２００とのサイドリンクのＢＬＥＲは、ＵｕリンクのＢＬＥＲの１．４１倍である。そして、倍率１．０２は閾値θを超える。従って、リモートＵＥ３００は、基地局１００に接続する。
【０２４０】
第４のメジャメント結果によれば、アソシエーション関係があるリレーＵＥ２００とのサイドリンクのＢＬＥＲは閾値以上である。一方で、ＵｕリンクのＢＬＥＲは閾値以下である。従って、リモートＵＥ３００は、基地局１００に接続する。
【０２４１】
第５のメジャメント結果によれば、アソシエーション関係があるリレーＵＥ２００とのサイドリンクのＢＬＥＲ、及びＵｕリンクのＢＬＥＲは閾値以上である。一方で、アソシエーション関係がないリレーＵＥ２００とのサイドリンクのＢＬＥＲは閾値以下である。従って、リモートＵＥ３００は、アソシエーション関係がないリレーＵＥ２００に接続する。
【０２４２】
＜４．６．第６の実施例＞
本実施例は、代表としての役割を担うリモートＵＥ３００の選択に関する。
【０２４３】
図１９は、本実施例を説明するための図である。図１９の左図に示すように、基地局１００は、セル１０１を運用しており、そのカバレッジ内にリレーＵＥ２００が位置している。そして、リレーＵＥ２００の周囲には、６台のリモートＵＥ３００（３００Ａ〜３００Ｆ）が、互いに近隣に位置している。ここでは、リレーＵＥ２００が、どのリモートＵＥ３００が代表としての役割を担うかを決定するものとする。そして、決定基準は、電池残量であるものとする。各々のリモートＵＥ３００の電池残量の一例を、下記の表３に示す。
【０２４４】
【表３】
2018160861.tif 000005
【０２４５】
上記表３に示した例では、リモートＵＥ３００Ａが最も電池残量が多い。そこで、リレーＵＥ２００は、図１９の右図に示すように、リモートＵＥ３００Ａを代表として決定する。リモートＵＥ３００Ａは、基地局１００とのＵｕリンク及びリレーＵＥ２００とのサイドリンクの各々のリンク品質をメジャメントする。そして、リモートＵＥ３００Ａは、近隣の他のリモートＵＥ３００（３００Ｂ〜３００Ｆ）にメジャメント結果を共有する。
【０２４６】
＜４．７．第７の実施例＞
本実施例は、代表の選択の解除及び代表の再選択に関する。
【０２４７】
図２０は、本実施例を説明するための図である。図２０の左図に示すように、図１９の右図に示した状況において、代表であるリモートＵＥ３００Ａが他のリモートＵＥ３００から遠くに移動した場合を想定する。この場合、リモートＵＥ３００Ａのメジャメント結果と他のリモートＵＥ３００が仮にメジャメントを行った場合のメジャメント結果とが、類似しなくなる可能性がある。そこで、代表の再選択が行われる。
【０２４８】
例えば、上記表３を参照すると、リモートＵＥ３００Ａ以外では、リモートＵＥ３００Ｆが最も電池残量が多い。そこで、リレーＵＥ２００は、図２０の右図に示すように、リモートＵＥ３００Ｆを代表として決定する。リモートＵＥ３００Ｆは、基地局１００とのＵｕリンク及びリレーＵＥ２００とのサイドリンクの各々のリンク品質をメジャメントする。そして、リモートＵＥ３００Ｆは、近隣の他のリモートＵＥ３００（３００Ｂ〜３００Ｅ）にメジャメント結果を共有する。
【０２４９】
＜４．８．第８の実施例＞
本実施例は、共有情報の共有に関する。
【０２５０】
以下、図２１〜図２３を参照して説明するように、共有情報はサイドリンクのみを経由して共有されてもよい。なお、ノーマルリモートＵＥとは、代表としての役割を担わないリモートＵＥである。代表リモートＵＥ３００Ａ及びノーマルリモートＵＥ３００Ｂは、共にリレーＵＥ２００に接続しているものとする。
【０２５１】
図２１は、本実施例の第１のシナリオを説明するためのシーケンス図である。図２１に示すように、代表リモートＵＥ３００Ａは、メジャメント及びディシジョン（即ち、接続先リンクの決定）を行う（ステップＳ２０２）。そして、代表リモートＵＥ３００Ａは、リレーＵＥ２００を介してノーマルリモートＵＥ３００Ｂに、ディシジョン結果を送信する（ステップＳ２０４、Ｓ２０６）。このように、ディシジョンは、代表リモートＵＥ３００Ａにより行われてもよい。
【０２５２】
図２２は、本実施例の第２のシナリオを説明するためのシーケンス図である。図２２に示すように、代表リモートＵＥ３００Ａは、メジャメントを行い（ステップＳ２１２）、メジャメント結果をリレーＵＥ２００に送信する（ステップＳ２１４）。そして、リレーＵＥ２００は、メジャメント結果に基づいてディシジョンを行い（ステップＳ２１６）、ディシジョン結果を代表リモートＵＥ３００Ａ及びノーマルリモートＵＥ３００Ｂの各々に送信する（ステップＳ２１８、Ｓ２２０）。このように、ディシジョンは、リレーＵＥ２００により行われてもよい。
【０２５３】
図２３は、本実施例の第３のシナリオを説明するためのシーケンス図である。図２３に示すように、代表リモートＵＥ３００Ａは、メジャメント及びディシジョン（即ち、接続先リンクの決定）を行う（ステップＳ２３２）。次いで、代表リモートＵＥ３００Ａは、リレーＵＥ２００を介してノーマルリモートＵＥ３００Ｂに、メジャメント結果を送信する（ステップＳ２３４、Ｓ２３６）。そして、ノーマルリモートＵＥ３００Ｂは、メジャメント結果に基づいてディシジョンを行う（ステップＳ２３８）。このように、ディシジョンは、代表リモートＵＥ３００Ａ及びノーマルリモートＵＥ３００Ｂの両方により行われてもよい。
【０２５４】
以下、図２４〜図２６を参照して説明するように、共有情報はＵｕリンクのみを経由して共有されてもよい。なお、代表リモートＵＥ３００Ａ及びノーマルリモートＵＥ３００Ｂは、共に基地局１００に接続しているものとする。
【０２５５】
図２４は、本実施例の第４のシナリオを説明するためのシーケンス図である。図２４に示すように、代表リモートＵＥ３００Ａは、メジャメント及びディシジョンを行う（ステップＳ２４２）。そして、代表リモートＵＥ３００Ａは、基地局１００を介してノーマルリモートＵＥ３００Ｂに、ディシジョン結果を送信する（ステップＳ２４４、Ｓ２４６）。このように、ディシジョンは、代表リモートＵＥ３００Ａにより行われてもよい。
【０２５６】
図２５は、本実施例の第５のシナリオを説明するためのシーケンス図である。図２５に示すように、代表リモートＵＥ３００Ａは、メジャメントを行い（ステップＳ２５２）、メジャメント結果を基地局１００に送信する（ステップＳ２５４）。そして、基地局１００は、メジャメント結果に基づいてディシジョンを行い（ステップＳ２５６）、ディシジョン結果を代表リモートＵＥ３００Ａ及びノーマルリモートＵＥ３００Ｂの各々に送信する（ステップＳ２５８、Ｓ２６０）。このように、ディシジョンは、基地局１００により行われてもよい。
【０２５７】
図２６は、本実施例の第６のシナリオを説明するためのシーケンス図である。図２６に示すように、代表リモートＵＥ３００Ａは、メジャメント及びディシジョンを行う（ステップＳ２７２）。次いで、代表リモートＵＥ３００Ａは、基地局１００を介してノーマルリモートＵＥ３００Ｂに、メジャメント結果を送信する（ステップＳ２７４、Ｓ２７６）。そして、ノーマルリモートＵＥ３００Ｂは、メジャメント結果に基づいてディシジョンを行う（ステップＳ２７８）。このように、ディシジョンは、代表リモートＵＥ３００Ａ及びノーマルリモートＵＥ３００Ｂの両方により行われてもよい。
【０２５８】
以下、図２７〜図３０を参照して説明するように、共有情報はＵｕリンク及びサイドリンクを経由して共有されてもよい。なお、代表リモートＵＥ３００ＡはリレーＵＥ２００に接続し、ノーマルリモートＵＥ３００Ｂは基地局１００に接続しているものとする。
【０２５９】
図２７は、本実施例の第７のシナリオを説明するためのシーケンス図である。図２７に示すように、代表リモートＵＥ３００Ａは、メジャメント及びディシジョンを行う（ステップＳ２８２）。次いで、代表リモートＵＥ３００Ａは、まずリレーＵＥ２００、その次に基地局１００を介して、ノーマルリモートＵＥ３００Ｂにディシジョン結果を送信する（ステップＳ２８４、Ｓ２８６、Ｓ２８８）。このように、ディシジョンは、代表リモートＵＥ３００Ａにより行われてもよい。
【０２６０】
図２８は、本実施例の第８のシナリオを説明するためのシーケンス図である。図２８に示すように、代表リモートＵＥ３００Ａは、メジャメントを行い（ステップＳ２９２）、メジャメント結果をリレーＵＥ２００に送信する（ステップＳ２９４）。そして、リレーＵＥ２００は、メジャメント結果に基づいてディシジョンを行い（ステップＳ２９６）、ディシジョン結果を代表リモートＵＥ３００Ａに送信する（ステップＳ２９８）。また、リレーＵＥ２００は、基地局１００を介してノーマルリモートＵＥ３００Ｂに、ディシジョン結果を送信する（ステップＳ３００、Ｓ３０２）。このように、ディシジョンは、リレーＵＥ２００により行われてもよい。
【０２６１】
図２９は、本実施例の第９のシナリオを説明するためのシーケンス図である。図２９に示すように、代表リモートＵＥ３００Ａは、メジャメントを行い（ステップＳ３１２）、リレーＵＥ２００を介して基地局１００にメジャメント結果を送信する（ステップＳ３１４、Ｓ３１６）。そして、基地局１００は、メジャメント結果に基づいてディシジョンを行い（ステップＳ３１８）、リレーＵＥ２００を介して代表リモートＵＥ３００Ａに、ディシジョン結果を送信する（ステップＳ３２０、Ｓ３２２）。また、基地局１００は、ノーマルリモートＵＥ３００Ｂにディシジョン結果を送信する（ステップＳ３２４）。このように、ディシジョンは、基地局１００により行われてもよい。
【０２６２】
図３０は、本実施例の第１０のシナリオを説明するためのシーケンス図である。図３０に示すように、代表リモートＵＥ３００Ａは、メジャメント及びディシジョンを行う（ステップＳ３３２）。次いで、代表リモートＵＥ３００Ａは、まずリレーＵＥ２００、その次に基地局１００を介して、ノーマルリモートＵＥ３００Ｂにメジャメント結果を送信する（ステップＳ３３４、Ｓ３３６、Ｓ３３８）。そして、ノーマルリモートＵＥ３００Ｂは、メジャメント結果に基づいてディシジョンを行う（ステップＳ３４０）。このように、ディシジョンは、代表リモートＵＥ３００Ａ及びノーマルリモートＵＥ３００Ｂの両方により行われてもよい。
【０２６３】
以下、図３１〜図３４を参照して説明するように、共有情報はＵｕリンク及びサイドリンクを経由して共有されてもよい。なお、代表リモートＵＥ３００Ａは基地局１００に接続し、ノーマルリモートＵＥ３００ＢはリレーＵＥ２００に接続しているものとする。
【０２６４】
図３１は、本実施例の第１１のシナリオを説明するためのシーケンス図である。図３１に示すように、代表リモートＵＥ３００Ａは、メジャメント及びディシジョンを行う（ステップＳ３５２）。次いで、代表リモートＵＥ３００Ａは、まず基地局１００、その次にリレーＵＥ２００を介して、ノーマルリモートＵＥ３００Ｂにディシジョン結果を送信する（ステップＳ３５４、Ｓ３５６、Ｓ３５８）。このように、ディシジョンは、代表リモートＵＥ３００Ａにより行われてもよい。
【０２６５】
図３２は、本実施例の第１２のシナリオを説明するためのシーケンス図である。図３２に示すように、代表リモートＵＥ３００Ａは、メジャメントを行い（ステップＳ３６２）、基地局１００を介してリレーＵＥ２００にメジャメント結果を送信する（ステップＳ３６４、Ｓ３６６）。次いで、リレーＵＥ２００は、メジャメント結果に基づいてディシジョンを行う（ステップＳ３６８）。そして、リレーＵＥ２００は、ノーマルリモートＵＥ３００Ｂにディシジョン結果を送信し（ステップＳ３７０）、基地局１００を介して代表リモートＵＥ３００Ａにディシジョン結果を送信する（ステップＳ３７２、Ｓ３７４）。このように、ディシジョンは、リレーＵＥ２００により行われてもよい。
【０２６６】
図３３は、本実施例の第１３のシナリオを説明するためのシーケンス図である。図３３に示すように、代表リモートＵＥ３００Ａは、メジャメントを行い（ステップＳ３８２）、基地局１００にメジャメント結果を送信する（ステップＳ３８４）。次いで、基地局１００は、メジャメント結果に基づいてディシジョンを行う（ステップＳ３８６）。そして、基地局１００は、代表リモートＵＥ３００Ａにディシジョン結果を送信し（ステップＳ３８８）、リレーＵＥ２００を介してノーマルリモートＵＥ３００Ｂにディシジョン結果を送信する（ステップＳ３９０、Ｓ３９２）。このように、ディシジョンは、基地局１００により行われてもよい。
【０２６７】
図３４は、本実施例の第１４のシナリオを説明するためのシーケンス図である。図３４に示すように、代表リモートＵＥ３００Ａは、メジャメント及びディシジョンを行う（ステップＳ４０２）。次いで、代表リモートＵＥ３００Ａは、まず基地局１００、その次にリレーＵＥ２００を介して、ノーマルリモートＵＥ３００Ｂにメジャメント結果を送信する（ステップＳ４０４、Ｓ４０６、Ｓ４０８）。そして、ノーマルリモートＵＥ３００Ｂは、メジャメント結果に基づいてディシジョンを行う（ステップＳ４１０）。このように、ディシジョンは、代表リモートＵＥ３００Ａ及びノーマルリモートＵＥ３００Ｂの両方により行われてもよい。
【０２６８】
以下、図３５〜図４０を参照して説明するように、共有情報はＵｕリンク及びサイドリンクを経由して共有されてもよい。なお、代表リモートＵＥ３００ＡはリレーＵＥ２００Ａに
接続し、ノーマルリモートＵＥ３００ＢはリレーＵＥ２００Ｂに 接続しているものとする。
【０２６９】
図３５は、本実施例の第１５のシナリオを説明するためのシーケンス図である。図３５に示すように、代表リモートＵＥ３００Ａは、メジャメント及びディシジョンを行う（ステップＳ４２２）。次いで、代表リモートＵＥ３００Ａは、まずリレーＵＥ２００Ａ、その次に基地局１００、その次にリレーＵＥ２００Ｂを介して、ノーマルリモートＵＥ３００Ｂにディシジョン結果を送信する（ステップＳ４２４、Ｓ４２６、Ｓ４２８、Ｓ４３０）。このように、ディシジョンは、代表リモートＵＥ３００Ａにより行われてもよい。
【０２７０】
図３６は、本実施例の第１６のシナリオを説明するためのシーケンス図である。図３６に示すように、代表リモートＵＥ３００Ａは、メジャメントを行い（ステップＳ４４２）、メジャメント結果をリレーＵＥ２００Ａに送信する（ステップＳ４４４）。そして、リレーＵＥ２００Ａは、メジャメント結果に基づいてディシジョンを行い（ステップＳ４４６）、ディシジョン結果を代表リモートＵＥ３００Ａに送信する（ステップＳ４４８）。また、リレーＵＥ２００Ａは、まず基地局１００、その次にリレーＵＥ２００Ｂを介して、ノーマルリモートＵＥ３００Ｂにディシジョン結果を送信する（ステップＳ４５０、Ｓ４５２、Ｓ４５４）。このように、ディシジョンは、リレーＵＥ２００Ａにより行われてもよい。
【０２７１】
図３７は、本実施例の第１７のシナリオを説明するためのシーケンス図である。図３７に示すように、代表リモートＵＥ３００Ａは、メジャメントを行い（ステップＳ４６２）、まずリレーＵＥ２００Ａ、その次に基地局１００を介して、メジャメント結果をリレーＵＥ２００Ｂに送信する（ステップＳ４６４、Ｓ４６６、Ｓ４６８）。そして、リレーＵＥ２００Ｂは、メジャメント結果に基づいてディシジョンを行い（ステップＳ４７０）、ディシジョン結果をノーマルリモートＵＥ３００Ｂに送信する（ステップＳ４７２）。また、リレーＵＥ２００Ｂは、まず基地局１００、その次にリレーＵＥ２００Ａを介して、代表リモートＵＥ３００Ａにディシジョン結果を送信する（ステップＳ４７４、Ｓ４７６、Ｓ４７８）。このように、ディシジョンは、リレーＵＥ２００Ｂにより行われてもよい。
【０２７２】
図３８は、本実施例の第１８のシナリオを説明するためのシーケンス図である。図３８に示すように、代表リモートＵＥ３００Ａは、メジャメントを行い（ステップＳ４８２）、メジャメント結果をリレーＵＥ２００Ａに送信する（ステップＳ４８４）。そして、リレーＵＥ２００Ａは、メジャメント結果に基づいてディシジョンを行い（ステップＳ４８６）、ディシジョン結果を代表リモートＵＥ３００Ａに送信する（ステップＳ４８８）。また、リレーＵＥ２００Ａは、基地局１００を介してリレーＵＥ２００Ｂに、メジャメント結果を送信する（ステップＳ４９０、Ｓ４９２）。そして、リレーＵＥ２００Ｂは、メジャメント結果に基づいてディシジョンを行い（ステップＳ４９４）、ディシジョン結果をノーマルリモートＵＥ３００Ｂに送信する（ステップＳ４９６）。このように、ディシジョンは、リレーＵＥ２００Ａ及びリレーＵＥ２００Ｂの両方により行われてもよい。
【０２７３】
図３９は、本実施例の第１９のシナリオを説明するためのシーケンス図である。図３９に示すように、代表リモートＵＥ３００Ａは、メジャメントを行い（ステップＳ５０２）、リレーＵＥ２００Ａを介して基地局１００に、メジャメント結果を送信する（ステップＳ５０４、Ｓ５０６）。次いで、基地局１００は、メジャメント結果に基づいてディシジョンを行う（ステップＳ５０８）。そして、基地局１００は、リレーＵＥ２００Ａを介して代表リモートＵＥ３００Ａにディシジョン結果を送信し（ステップＳ５１０、Ｓ５１２）、リレーＵＥ２００Ｂを介してノーマルリモートＵＥ３００Ｂにディシジョン結果を送信する（ステップＳ５１４、Ｓ５１６）。このように、ディシジョンは、基地局１００により行われてもよい。
【０２７４】
図４０は、本実施例の第２０のシナリオを説明するためのシーケンス図である。図４０に示すように、代表リモートＵＥ３００Ａは、メジャメント及びディシジョンを行う（ステップＳ５２２）。次いで、代表リモートＵＥ３００Ａは、まずリレーＵＥ２００Ａ、その次に基地局１００、その次にリレーＵＥ２００Ｂを介して、ノーマルリモートＵＥ３００Ｂにメジャメント結果を送信する（ステップＳ５２４、Ｓ５２６、Ｓ５２８、Ｓ５３０）。そして、ノーマルリモートＵＥ３００Ｂは、メジャメント結果に基づいてディシジョンを行う（ステップＳ５３２）。このように、ディシジョンは、代表リモートＵＥ３００Ａ及びノーマルリモートＵＥ３００Ｂの両方により行われてもよい。
【０２７５】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０２７６】
また、例えば、端末装置２００又３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００又３００は、Ｍ２Ｍ（Machine  To  Machine）通信を行う端末（ＭＴＣ（Machine  Type  Communication）端末ともいう）として実現されてもよい。さらに、端末装置２００又３００は、これら端末に搭載される無線通信モジュール（例えば、１つのダイで構成される集積回路モジュール）であってもよい。
【０２７７】
＜５．１．基地局に関する応用例＞
（第１の応用例）
図４１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２７８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図４１に示したように複数のアンテナ８１０を有し、複数のアンテナ８１０は、例えばｅＮＢ８００が使用する複数の周波数帯域にそれぞれ対応してもよい。なお、図４１にはｅＮＢ８００が複数のアンテナ８１０を有する例を示したが、ｅＮＢ８００は単一のアンテナ８１０を有してもよい。
【０２７９】
基地局装置８２０は、コントローラ８２１、メモリ８２２、ネットワークインタフェース８２３及び無線通信インタフェース８２５を備える。
【０２８０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２８１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２８２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２８３】
無線通信インタフェース８２５は、図４１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図４１に示したように複数のＲＦ回路８２７を含み、複数のＲＦ回路８２７は、例えば複数のアンテナ素子にそれぞれ対応してもよい。なお、図４１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２８４】
図４１に示したｅＮＢ８００において、図２を参照して説明した基地局１００に含まれる１つ以上の構成要素（設定部１５１及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８５】
また、図４１に示したｅＮＢ８００において、図２を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０２８６】
（第２の応用例）
図４２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２８７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図４２に示したように複数のアンテナ８４０を有し、複数のアンテナ８４０は、例えばｅＮＢ８３０が使用する複数の周波数帯域にそれぞれ対応してもよい。なお、図４２にはｅＮＢ８３０が複数のアンテナ８４０を有する例を示したが、ｅＮＢ８３０は単一のアンテナ８４０を有してもよい。
【０２８８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図４１を参照して説明したコントローラ８２１、メモリ８２２及びネットワークインタフェース８２３と同様のものである。
【０２８９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図４１を参照して説明したＢＢプロセッサ８２６と同様のものである。無線通信インタフェース８５５は、図４２に示したように複数のＢＢプロセッサ８５６を含み、複数のＢＢプロセッサ８５６は、例えばｅＮＢ８３０が使用する複数の周波数帯域にそれぞれ対応してもよい。なお、図４２には無線通信インタフェース８５５が複数のＢＢプロセッサ８５６を含む例を示したが、無線通信インタフェース８５５は単一のＢＢプロセッサ８５６を含んでもよい。
【０２９０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２９１】
また、ＲＲＨ８６０は、接続インタフェース８６１及び無線通信インタフェース８６３を備える。
【０２９２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２９３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図４２に示したように複数のＲＦ回路８６４を含み、複数のＲＦ回路８６４は、例えば複数のアンテナ素子にそれぞれ対応してもよい。なお、図４２には無線通信インタフェース８６３が複数のＲＦ回路８６４を含む例を示したが、無線通信インタフェース８６３は単一のＲＦ回路８６４を含んでもよい。
【０２９４】
図４２に示したｅＮＢ８３０において、図２を参照して説明した基地局１００に含まれる１つ以上の構成要素（設定部１５１及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２９５】
また、図４２に示したｅＮＢ８３０において、例えば、図２を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２９６】
＜５．２．端末装置に関する応用例＞
（第１の応用例）
図４３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２９７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２９８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２９９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図４３に示したように複数のＢＢプロセッサ９１３及び複数のＲＦ回路９１４を含んでもよい。なお、図４３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３００】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３０１】
アンテナスイッチ９１５の各々は、無線通信インタフェース９１２に含まれる複数の回路（例えば、異なる無線通信方式のための回路）の間でアンテナ９１６の接続先を切り替える。
【０３０２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図４３に示したように複数のアンテナ９１６を有してもよい。なお、図４３にはスマートフォン９００が複数のアンテナ９１６を有する例を示したが、スマートフォン９００は単一のアンテナ９１６を有してもよい。
【０３０３】
さらに、スマートフォン９００は、無線通信方式ごとにアンテナ９１６を備えてもよい。その場合に、アンテナスイッチ９１５は、スマートフォン９００の構成から省略されてもよい。
【０３０４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図４３に示したスマートフォン９００の各ブロックへ電力を供給する。補助コントローラ９１９は、例えば、スリープモードにおいて、スマートフォン９００の必要最低限の機能を動作させる。
【０３０５】
図４３に示したスマートフォン９００において、図３を参照して説明したリレーＵＥ２００に含まれる１つ以上の構成要素（通信制御部２４１）、又は図４を参照して説明したリモートＵＥ３００に含まれる１つ以上の構成要素（測定処理部３４１及び／又は通信制御部３４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３０６】
また、図４３に示したスマートフォン９００において、例えば、図３を参照して説明した無線通信部２２０又は図４を参照して説明した無線通信部３２０は、無線通信インタフェース９１２（例えば、ＲＦ回路９１４）において実装されてもよい。また、アンテナ部２１０又はアンテナ部３１０は、アンテナ９１６において実装されてもよい。また、記憶部２３０又は記憶部３３０は、メモリ９０２において実装されてもよい。
【０３０７】
（第２の応用例）
図４４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３０８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３０９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３１０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３１１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図４４に示したように複数のＢＢプロセッサ９３４及び複数のＲＦ回路９３５を含んでもよい。なお、図４４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３１２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３１３】
アンテナスイッチ９３６の各々は、無線通信インタフェース９３３に含まれる複数の回路（例えば、異なる無線通信方式のための回路）の間でアンテナ９３７の接続先を切り替える。
【０３１４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図４４に示したように複数のアンテナ９３７を有してもよい。なお、図４４にはカーナビゲーション装置９２０が複数のアンテナ９３７を有する例を示したが、カーナビゲーション装置９２０は単一のアンテナ９３７を有してもよい。
【０３１５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３１６】
バッテリー９３８は、図中に破線で部分的に示した給電ラインを介して、図４４に示したカーナビゲーション装置９２０の各ブロックへ電力を供給する。また、バッテリー９３８は、車両側から給電される電力を蓄積する。
【０３１７】
図４４に示したカーナビゲーション装置９２０において、図３を参照して説明したリレーＵＥ２００に含まれる１つ以上の構成要素（通信制御部２４１）、又は図４を参照して説明したリモートＵＥ３００に含まれる１つ以上の構成要素（測定処理部３４１及び／又は通信制御部３４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３１８】
また、図４４に示したカーナビゲーション装置９２０において、例えば、図３を参照して説明した無線通信部２２０又は図４を参照して説明した無線通信部３２０は、無線通信インタフェース９３３（例えば、ＲＦ回路９３５）において実装されてもよい。また、アンテナ部２１０又はアンテナ部３１０は、アンテナ９３７において実装されてもよい。また、記憶部２３０又は記憶部３３０は、メモリ９２２において実装されてもよい。
【０３１９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３２０】
＜＜６．まとめ＞＞
以上、図１〜図４４を参照して、本開示の一実施形態について詳細に説明した。上記説明したように、第１の実施形態によれば、リモートＵＥ３００は、リレーＵＥ２００と自身とを対応付けるアソシエーション情報に基づいて、メジャメントするリンクを選択する。メジャメントするリンクが限定されるので、限定されない場合と比較してメジャメント回数を削減することが可能となり、その結果、リモートＵＥ３００の消費電力が抑制される。とりわけ、リモートＵＥ３００は、アソシエーション関係があるリモートＵＥ３００とのリンクを優先的にメジャメントすることで、信頼関係のあるリレーＵＥ２００を介した通信をより少ない消費電力で継続することが可能である。
【０３２１】
また、アソシエーション関係があるリレーＵＥ２００とアソシエーション関係がないリレーＵＥ２００とで、ディスカバリ又は通信のために異なるリソースが設定される、よって、リモートＵＥ３００は、アソシエーション関係があるリモートＵＥ３００とのリンクをメジャメントする際に、限定されたリソースにおいてメジャメントすればよくなり、消費電力を抑制することが可能となる。
【０３２２】
また、第２の実施形態によれば、リモートＵＥ３００は、近隣に他のリモートＵＥ３００が存在する場合、代表として選択された場合はメジャメント行ってメジャメント結果に基づく共有情報を生成して他のリモートＵＥ３００と共有し、代表として選択されなかった場合は代表として選択された他のリモートＵＥ３００から共有情報の共有を受ける。これにより、近隣に位置する複数のリモートＵＥ３００全体におけるメジャメント回数を削減することができ、それに伴い全体の消費電力を抑制することが可能となる。
【０３２３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３２４】
例えば、本開示の第１の実施形態および第２の実施形態は適宜組み合わせることが可能である。例えば、代表リモートＵＥ３００は、自身とアソシエーション関係があるリレーＵＥ２００とのリンクを優先的にメジャメントして、メジャメント結果を他のリモートＵＥ３００に共有してもよい。
【０３２５】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０３２６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３２７】
なお、以下のような構成も本開示の技術的範囲に属する。
（１）
移動可能に構成されたリレー通信装置による通信の中継を介して基地局と通信可能なリモート通信装置であって、
第１のリレー通信装置と前記リモート通信装置とを対応付けるアソシエーション情報に基づいて、メジャメントするリンクを選択する制御部、
を備えるリモート通信装置。
（２）
前記制御部は、前記第１のリレー通信装置とのリンクを、他のリンクよりも優先的に選択してメジャメントする、前記（１）に記載のリモート通信装置。
（３）
前記制御部は、前記第１のリレー通信装置に接続している場合、他のリンクのメジャメントをスキップする、前記（２）に記載のリモート通信装置。
（４）
前記制御部は、前記第１のリレー通信装置に接続している場合、前記第１のリレー通信装置とのリンクの品質又は他のリンクのメジャメントリクエストの有無に基づいて、前記他のリンクのメジャメントをスキップするか否かを選択する、前記（３）に記載のリモート通信装置。
（５）
前記第１のリレー通信装置と前記第１のリレー通信装置以外の第２のリレー通信装置とで、ディスカバリ又は通信のために異なるリソースが設定される、前記（１）〜（４）のいずれか一項に記載のリモート通信装置。
（６）
前記リソースは、リソースプール又はリソースブロックである、前記（５）に記載のリモート通信装置。
（７）
前記リソースは、基地局により動的に設定される、前記（５）又は（６）に記載のリモート通信装置。
（８）
メジャメント結果、及び前記アソシエーション情報に基づいて、接続先のリンクが決定される、前記（１）〜（７）のいずれか一項に記載のリモート通信装置。
（９）
前記第１のリレー通信装置とのリンクが、前記接続先のリンクとして優先的に決定される、前記（８）に記載のリモート通信装置。
（１０）
前記基地局とのリンクが、前記第１のリレー通信装置とのリンクに次ぐ優先度で、前記接続先のリンクとして決定される、前記（９）に記載のリモート通信装置。
（１１）
前記第１のリレー通信装置以外の第２のリレー通信装置とのリンクが、前記基地局とのリンクに次ぐ優先度で、前記接続先のリンクとして決定される、前記（１０）に記載のリモート通信装置。
（１２）
基地局とリモート通信装置との通信を中継する移動可能に構成されたリレー通信装置であって、
前記リレー通信装置と対応付けられた前記リモート通信装置への信号と対応付けられていない前記リモート通信装置への信号とを、異なるリソースを用いて送信する制御部、
を備えるリレー通信装置。
（１３）
移動可能に構成されたリレー通信装置による通信の中継を介してリモート通信装置と通信可能な基地局であって、
対応付けられた前記リレー通信装置及び前記リモート通信装置と対応付けられていない前記リレー通信装置及び前記リモート通信装置とで、異なるリソースを設定する制御部、
を備える基地局。
（１４）
移動可能に構成されたリレー通信装置による通信の中継を介して基地局と通信可能なリモート通信装置であって、
メジャメント処理を制御する制御部を備え、
前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、リモート通信装置。
（１５）
前記代表は、前記リモート通信装置及び前記他のリモート通信装置のケイパビリティに基づいて選択される、前記（１４）に記載のリモート通信装置。
（１６）
前記代表は、前記リモート通信装置及び前記他のリモート通信装置の地理位置情報に基づいて選択される、前記（１４）又は（１５）に記載のリモート通信装置。
（１７）
前記代表は、前記リモート通信装置及び前記他のリモート通信装置の相対的な位置情報に基づいて選択される、前記（１４）〜（１６）のいずれか一項に記載のリモート通信装置。
（１８）
前記代表は、前記リモート通信装置及び前記他のリモート通信装置の、基地局又はリレー通信装置とのリンク品質に基づいて選択される、前記（１４）〜（１７）のいずれか一項に記載のリモート通信装置。
（１９）
前記代表は、前記リモート通信装置及び前記他のリモート通信装置のセキュリティ要件に基づいて選択される、前記（１４）〜（１８）のいずれか一項に記載のリモート通信装置。
（２０）
前記代表は、前記リモート通信装置及び前記他のリモート通信装置のアソシエーション情報に基づいて選択される、前記（１４）〜（１９）のいずれか一項に記載のリモート通信装置。
（２１）
前記代表として選択されたリモート通信装置が所定の条件を満たした場合に、前記代表の選択が解除され、
前記所定の条件は、電池残量の低下、タイマー満了又はセルからの離脱の少なくともいずれかを含む、前記（１４）〜（２０）のいずれか一項に記載のリモート通信装置。
（２２）
前記共有情報は、前記メジャメント結果、前記メジャメント結果に基づく接続先リンクの決定結果、又は前記代表として選択されたリモート通信装置の状態を示す情報の少なくともいずれかを含む、前記（１４）〜（２１）のいずれか一項に記載のリモート通信装置。
（２３）
前記共有情報は、サイドリンクのみ、アップリンク及びダウンリンク、又はサイドリンク、アップリンク及びダウンリンクを用いて共有される、前記（１４）〜（２２）のいずれか一項に記載のリモート通信装置。
（２４）
移動可能に構成されたリレー通信装置による通信の中継を介して基地局と通信可能なリモート通信装置により実行される方法であって、
第１のリレー通信装置と前記リモート通信装置とを対応付けるアソシエーション情報に基づいて、メジャメントするリンクを選択すること、
を含む方法。
（２５）
移動可能に構成されたリレー通信装置による通信の中継を介して基地局と通信可能なリモート通信装置のコンピュータを、
第１のリレー通信装置と前記リモート通信装置とを対応付けるアソシエーション情報に基づいて、メジャメントするリンクを選択する制御部、
として機能させるためのプログラムを記録した記録媒体。
（２６）
基地局とリモート通信装置との通信を中継する移動可能に構成されたリレー通信装置により実行される方法であって、
前記リレー通信装置と対応付けられた前記リモート通信装置への信号と対応付けられていない前記リモート通信装置への信号とを、異なるリソースを用いて送信すること、
を含む方法。
（２７）
基地局とリモート通信装置との通信を中継する移動可能に構成されたリレー通信装置のコンピュータを、
前記リレー通信装置と対応付けられた前記リモート通信装置への信号と対応付けられていない前記リモート通信装置への信号とを、異なるリソースを用いて送信する制御部、
として機能させるためのプログラムを記録した記録媒体。
（２８）
移動可能に構成されたリレー通信装置による通信の中継を介してリモート通信装置と通信可能な基地局により実行される方法であって、
対応付けられた前記リレー通信装置及び前記リモート通信装置と対応付けられていない前記リレー通信装置及び前記リモート通信装置とで、異なるリソースを設定すること、
を含む方法。
（２９）
移動可能に構成されたリレー通信装置による通信の中継を介してリモート通信装置と通信可能な基地局のコンピュータを、
対応付けられた前記リレー通信装置及び前記リモート通信装置と対応付けられていない前記リレー通信装置及び前記リモート通信装置とで、異なるリソースを設定する制御部、
として機能させるためのプログラムを記録した記録媒体。
（３０）
移動可能に構成されたリレー通信装置による通信の中継を介して基地局と通信可能なリモート通信装置により実行される方法であって、
メジャメント処理を制御することを含み、
前記メジャメント処理を制御することは、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受けることを含む、方法。
（３１）
移動可能に構成されたリレー通信装置による通信の中継を介して基地局と通信可能なリモート通信装置のコンピュータを、
メジャメント処理を制御する制御部として機能させ、
前記制御部は、前記リモート通信装置の近隣に他のリモート通信装置が存在する場合、代表として選択された場合はメジャメント行ってメジャメント結果に基づく共有情報を生成して前記他のリモート通信装置と共有し、代表として選択されなかった場合は代表として選択された前記他のリモート通信装置から前記共有情報の共有を受ける、プログラムを記録した記録媒体。
【符号の説明】
【０３２８】
１        システム
１００    基地局
１０１    セル
１１０    アンテナ部
１２０    無線通信部
１３０    ネットワーク通信部
１４０    記憶部
１５０    制御部
１５１    設定部
１５３    通信制御部
２００    端末装置、リレーＵＥ
２１０    アンテナ部
２２０    無線通信部
２３０    記憶部
２４０    制御部
２４１    通信制御部
３００    端末装置、リモートＵＥ
３１０    アンテナ部
３２０    無線通信部
３３０    記憶部
３４０    制御部
３４１    測定処理部
３４３    通信制御部
【図１】
2018160861.tif 000006
【図２】
2018160861.tif 000007
【図３】
2018160861.tif 000008
【図４】
2018160861.tif 000009
【図５】
2018160861.tif 000010
【図６】
2018160861.tif 000011
【図７】
2018160861.tif 000012
【図８】
2018160861.tif 000013
【図９】
2018160861.tif 000014
【図１０】
2018160861.tif 000015
【図１１】
2018160861.tif 000016
【図１２】
2018160861.tif 000017
【図１３】
2018160861.tif 000018
【図１４】
2018160861.tif 000019
【図１５】
2018160861.tif 000020
【図１６】
2018160861.tif 000021
【図１７】
2018160861.tif 000022
【図１８】
2018160861.tif 000023
【図１９】
2018160861.tif 000024
【図２０】
2018160861.tif 000025
【図２１】
2018160861.tif 000026
【図２２】
2018160861.tif 000027
【図２３】
2018160861.tif 000028
【図２４】
2018160861.tif 000029
【図２５】
2018160861.tif 000030
【図２６】
2018160861.tif 000031
【図２７】
2018160861.tif 000032
【図２８】
2018160861.tif 000033
【図２９】
2018160861.tif 000034
【図３０】
2018160861.tif 000035
【図３１】
2018160861.tif 000036
【図３２】
2018160861.tif 000037
【図３３】
2018160861.tif 000038
【図３４】
2018160861.tif 000039
【図３５】
2018160861.tif 000040
【図３６】
2018160861.tif 000041
【図３７】
2018160861.tif 000042
【図３８】
2018160861.tif 000043
【図３９】
2018160861.tif 000044
【図４０】
2018160861.tif 000045
【図４１】
2018160861.tif 000046
【図４２】
2018160861.tif 000047
【図４３】
2018160861.tif 000048
【図４４】
2018160861.tif 000049